(57)【要約】      （修正有）【課題】カチオン性ポリマーと、シリコーンと、界面活性剤系と、を含む布地ケア組成物、当該組成物の製造方法及び使用方法。【解決手段】カチオン性ポリマーと、シリコーンと、界面活性剤系と、を含む洗濯洗剤組成物であって、前記カチオン性ポリマーは、算出カチオン電荷密度が約１ｍｅｑ／ｇ以上、好ましくは１．２ｍｅｑ／ｇ〜８ｍｅｑ／ｇ、更により好ましくは１．５ｍｅｑ／ｇ〜５ｍｅｑ／ｇであることを特徴とし、前記カチオン性ポリマーは、分子量が２００ｋダルトン〜５，０００ｋダルトン、５００ｋダルトン〜５０００ｋダルトン、より好ましくは８００ｋダルトン〜２０００ｋダルトンであることを更に特徴とし、前記界面活性剤系は、アニオン性界面活性剤と、非イオン性界面活性剤と、を、１．１：１〜４：１、好ましくは１．５：１〜２．５：１の比で含む、洗濯洗剤組成物。【選択図】なし【特許請求の範囲】
【請求項１】
カチオン性ポリマーと、シリコーンと、界面活性剤系と、を含む洗濯洗剤組成物であって、
前記カチオン性ポリマーは、算出カチオン電荷密度が約１ｍｅｑ／ｇ以上、好ましくは１．２ｍｅｑ／ｇ〜８ｍｅｑ／ｇ、更により好ましくは１．５ｍｅｑ／ｇ〜５ｍｅｑ／ｇであることを特徴とし、
前記カチオン性ポリマーは、分子量が２００ｋダルトン〜５，０００ｋダルトン、５００ｋダルトン〜５０００ｋダルトン、より好ましくは８００ｋダルトン〜２０００ｋダルトンであることを更に特徴とし、
前記界面活性剤系は、アニオン性界面活性剤と、非イオン性界面活性剤と、を、１．１：１〜４：１、好ましくは１．５：１〜２．５：１の比で含む、洗濯洗剤組成物。
【請求項２】
前記カチオン性ポリマーが、非多糖類ポリマーである、請求項１に記載の洗剤組成物。
【請求項３】
前記カチオン性ポリマーが、５モル％〜９８モル％、好ましくは１０モル％〜９５モル％の非イオン性構造単位を含む、請求項１又は２に記載の洗剤組成物。
【請求項４】
前記非イオン性構造単位が、（メタ）アクリルアミド、Ｎ，Ｎ−ジアルキルアクリルアミド、Ｎ，Ｎ−ジアルキルメタクリルアミド、Ｃ１〜Ｃ１２アルキルアクリレート、Ｃ１〜Ｃ１２ヒドロキシアルキルアクリレート、ポリアルキレングリコールアクリレート、Ｃ１〜Ｃ１２アルキルメタクリレート、Ｃ１〜Ｃ１２ヒドロキシアルキルメタクリレート、ポリアルキレングリコールメタクリレート、ビニルアセテート、ビニルアルコール、ビニルホルムアミド、ビニルアセトアミド、ビニルアルキルエーテル、ビニルピリジン、ビニルピロリドン、ビニルイミダゾール、ビニルカプロラクタム、及びそれらの混合物からなる群から選択される、請求項３に記載の洗剤組成物。
【請求項５】
前記カチオン性ポリマーが、２モル％〜１００モル％、好ましくは５モル％〜９５モル％のカチオン性構造単位を含む、請求項１〜４のいずれか一項に記載の洗剤組成物。
【請求項６】
前記カチオン性構造単位が、Ｎ，Ｎ−ジアルキルアミノアルキルメタクリレート、Ｎ，Ｎ−ジアルキルアミノアルキルアクリレート、Ｎ，Ｎ−ジアルキルアミノアルキルアクリルアミド、Ｎ，Ｎ−ジアルキルアミノアルキルメタクリルアミド、四級化Ｎ，Ｎ−ジアルキルアミノアルキルアクリレート、四級化Ｎ，Ｎ−ジアルキルアミノアルキルメタクリレート、四級化Ｎ，Ｎ−ジアルキルアミノアルキルアクリルアミド、四級化Ｎ，Ｎ−ジアルキルアミノアルキルメタクリルアミド、メタクリルアミドアルキルトリアルキルアンモニウム塩、アクリルアミドアルキルトリアルキルアミニウム塩、ビニルアミン、ビニルイミダゾール、四級化ビニルイミダゾール、ジアリルジアルキルアンモニウム塩、及びそれらの混合物からなる群から選択されるカチオン性モノマーに由来する、請求項５に記載の洗剤組成物。
【請求項７】
前記カチオン性構造単位が、ジアリルジメチルアンモニウム塩（ＤＡＤＭＡＳ）、Ｎ，Ｎ−ジメチルアミノエチルアクリレート、四級化Ｎ，Ｎ−ジメチルアミノエチルアクリレート、Ｎ，Ｎ−ジメチルアミノエチルメタクリレート（ＤＭＡＭ）、四級化Ｎ，Ｎ−ジメチルアミノエチルメタクリレート（ＤＭＡＭ）、［２−（メタクリロイルアミノ）エチル］トリ−メチルアンモニウム塩、Ｎ，Ｎ−ジメチルアミノプロピルアクリルアミド（ＤＭＡＰＡ）、四級化Ｎ，Ｎ−ジメチルアミノプロピルアクリルアミド（ＤＭＡＰＡ）、Ｎ，Ｎ−ジメチルアミノプロピルメタクリルアミド（ＤＭＡＰＭＡ）、四級化Ｎ，Ｎ−ジメチルアミノプロピルメタクリルアミド（ＤＭＡＰＭＡ）、アクリルアミドプロピルトリメチルアンモニウム塩（ＡＰＴＡＳ）、メタクリルアミドプロピルトリメチルアンモニウム塩（ＭＡＰＴＡＳ）、四級化ビニルイミダゾール（ＱＶｉ）、及びそれらの混合物からなる群から選択されるカチオン性モノマーに由来する、請求項５又は６に記載の洗剤組成物。
【請求項８】
前記カチオン性ポリマーが、アクリルアミド／ＤＡＤＭＡＳ、アクリルアミド／ＤＡＤＭＡＳ／アクリル酸、アクリルアミド／ＡＰＴＡＳ、アクリルアミド／ＭＡＰＴＡＳ、アクリルアミド／ＱＶｉ、ポリビニルホルムアミド／ＤＡＤＭＡＳ、ポリ（ＤＡＤＭＡＳ）、アクリルアミド／ＭＡＰＴＡＳ／アクリル酸、アクリルアミド／ＡＰＴＡＳ／アクリル酸、及びそれらの混合物から選択され、好ましくは、前記カチオン性ポリマーが、アクリルアミド／ＭＡＰＴＡＣを含む、請求項１〜７のいずれか一項に記載の洗剤組成物。
【請求項９】
前記カチオン性ポリマーが、０．０１モル％〜１０モル％のアニオン性構造単位を含む、請求項１〜８のいずれか一項に記載の洗剤組成物。
【請求項１０】
前記アニオン性構造単位が、アクリル酸（ＡＡ）、メタクリル酸、マレイン酸、ビニルスルホン酸、スチレンスルホン酸、アクリルアミドプロピルメタンスルホン酸（ＡＭＰＳ）及びそれらの塩、並びにそれらの混合物からなる群から選択されるアニオン性モノマーに由来する、請求項１６に記載の洗剤組成物。
【請求項１１】
前記カチオン性ポリマーが、シリコーン由来構造単位を実質的に含まない、請求項１〜１０のいずれか一項に記載の洗剤組成物。
【請求項１２】
前記シリコーンが、アミノシリコーンである、請求項１〜１１のいずれか一項に記載の洗剤組成物。
【請求項１３】
前記シリコーンが、ポリジメチルシロキサンである、請求項１〜１２のいずれか一項に記載の洗剤組成物。
【請求項１４】
前記シリコーンが、ナノエマルションとして存在し、前記ナノエマルションは、平均粒径が１０ｎｍ〜５００ｎｍであることを特徴とする、請求項１〜１３のいずれか一項に記載の洗剤組成物。
【請求項１５】
前記アニオン性界面活性剤が、直鎖アルキルベンゼンサルフェート（ＬＡＳ）及びアルキルエーテルサルフェート（ＡＥＳ）を、好ましくは０．５：１〜２：１の重量比で含む、請求項１〜１４のいずれか一項に記載の洗剤組成物。
【請求項１６】
前記組成物の重量に対して、０．１％〜６％の脂肪酸及び／又はその塩を更に含む、請求項１〜１５のいずれか一項に記載の洗剤組成物。
【請求項１７】
前記洗剤組成物は、非高分子系結晶質ヒドロキシ官能性構造化剤、高分子構造化剤又はこれらの混合物を含む外部構造化系；マイクロカプセル、好ましくは香料マイクロカプセル；酵素；汚れ放出ポリマー；色調剤；及びこれらの組み合わせから選択される補助剤を更に含む、請求項１〜１６のいずれか一項に記載の洗剤組成物。
【請求項１８】
前記洗剤組成物は、液体である、請求項１〜１７のいずれか一項に記載の洗剤組成物。
【請求項１９】
前記洗剤組成物は、パウチに封入され、前記パウチは、水溶性フィルムを含む、請求項１〜１８のいずれか一項に記載の洗剤組成物。
【請求項２０】
布地を処理する方法であって、前記布地を請求項１〜１９のいずれか一項に記載の洗剤組成物に接触させる工程を含む、方法。
【発明の詳細な説明】
【技術分野】
【０００１】
本開示は、カチオン性ポリマーと、シリコーンと、界面活性剤系と、を含む布地ケア組成物に関する。本開示は、更に、当該組成物の製造方法及び使用方法に関する。
【背景技術】
【０００２】
消費者は、通常、洗濯後に軟らかい感触を衣類に求める。この要求を満たすために、洗剤メーカーは、洗剤組成物に公知の「感触効果」活性剤であるシリコーンを添加する場合がある。通常、布地をこのような組成物で洗濯した場合、少なくとも一部のシリコーンが、目的の布地に沈着する。高レベルのシリコーン沈着は、一般的には、改善された柔軟効果に関連する。
【０００３】
しかしながら、シリコーンを含む洗剤組成物で布地を洗濯した場合、洗浄溶液中のシリコーンのいくらかは、洗濯した布地に沈着せず、その代りに、過剰の水とともに排水管を流れて、シリコーンが無駄になる場合がある。この課題は、シリコーンを含む従来の洗剤において特に重大である。理論に拘束されるものではないが、洗剤中の界面活性剤は、シリコーン沈着効率を低下させるのに関与すると考えられる。
【０００４】
洗剤メーカーは、洗剤にカチオン性沈着ポリマーを配合することにより、シリコーンの沈着効率を改善しようとする場合がある。当該カチオン性沈着ポリマーは、目的の布地へのシリコーンの沈着を容易にする。しかしながら、カチオン性沈着ポリマーを使用しても、有意義な量のシリコーンを、目的の布地に沈着させることができない。
【発明の概要】
【発明が解決しようとする課題】
【０００５】
上記を考慮して、界面活性剤を含む洗剤組成物におけるシリコーン沈着効率を改善する必要性が存在する。驚くべきことに、特定のカチオン性沈着ポリマーも含む洗剤組成物中の界面活性剤の割合を注意深く選択することにより、シリコーン沈着が改善されることが見出された。
【課題を解決するための手段】
【０００６】
本開示は、カチオン性ポリマーと、シリコーンと、界面活性剤系と、を含む組成物に関する。
【０００７】
一部の態様では、本開示は、非多糖類カチオン性ポリマーと、シリコーンと、界面活性剤系とを含む洗濯洗剤組成物であって、非多糖類カチオン性ポリマーは、算出カチオン電荷密度が約１ｍｅｑ／ｇ〜約１２ｍｅｑ／ｇであることを特徴とし、カチオン性ポリマーは、分子量が約２００ｋダルトン〜約５，０００ｋダルトンであることを更に特徴とし、界面活性剤系は、アニオン性界面活性剤と非イオン性界面活性剤とを、約１．１：１〜約２．５：１の比で含む洗濯洗剤組成物に関する。
【０００８】
一部の態様では、本開示は、本明細書に開示の組成物で布地を処理する方法に関する。
【発明を実施するための形態】
【０００９】
本開示は、カチオン性ポリマーと、シリコーンと、界面活性剤系と、を含む布地処理組成物に関する。本開示の布地ケア組成物は、洗浄及び／又は白さの効果と、感触及び／又はシリコーン付着の効果の両方をもたらす単独製品であることが意図される。シリコーン含有組成物に使用するために、特定の低分子量のカチオン性沈着ポリマーと、特定の界面活性剤系とを選択することによって、これらの効果がもたらされる。これらの要素のそれぞれについて、以下でより詳細に記載する。
【００１０】
定義
本明細書で使用するとき、用語「分子量」は、ポリマー組成物中のポリマー鎖の重量平均分子量を指す。更に、本明細書で使用するとき、「重量平均分子量」（「Ｍｗ」）は、以下の等式を使用して計算される：
Ｍｗ＝（Σｉ  Ｎｉ  Ｍｉ２）／（Σｉ  Ｎｉ  Ｍｉ）
（式中、Ｎｉは、分子量Ｍｉを有する分子の数である）。重量平均分子量は、試験方法の項に記載の方法によって測定されるものとする。
【００１１】
本明細書で使用するとき、「モル％」は、ポリマー中の特定のモノマー構造単位の相対モル百分率を指す。本開示の意味の範囲において、カチオン性ポリマー中に存在する全てのモノマー構造単位の相対モル百分率を合算すると１００モル％になることが理解される。
【００１２】
本明細書で使用するとき、用語「由来する」は、化合物又は当該化合物の任意の誘導体（すなわち、１つ又は２つ以上の置換基を有するもの）から調製することができるポリマー中のモノマー構造単位を指す。好ましくは、かかる構造単位は、対象の化合物から直接調製される。例えば、用語「（メタ）アクリルアミドに由来する構造単位」は、（メタ）アクリルアミド又は１つ又は２つ以上の置換基を有する（メタ）アクリルアミドの任意の誘導体から調製することができるポリマー中のモノマー構造単位を指す。好ましくは、かかる構造単位は、（メタ）アクリルアミドから直接調製される。本明細書で使用するとき、用語「（メタ）アクリルアミド」は、アクリルアミド（「Ａａｍ」）又はメタクリルアミドのいずれかを指し、（メタ）アクリルアミドは、本明細書中、「（Ｍ）ＡＡｍ」と略される。別の例として、用語「ジアリルジメチルアンモニウム塩に由来する構造単位」は、ジアリルジメチルアンモニウム塩（ＤＡＤＭＡＳ）又は１つ又は２つ以上の置換基を有するＤＡＤＭＡＳの任意の誘導体から直接調製することができるポリマー中のモノマー構造単位を指す。好ましくは、かかる構造単位は、かかるジアリルジメチルアンモニウム塩から直接調製される。更に別の例として、用語「アクリル酸に由来する構造単位」は、アクリル酸（ＡＡ）又は１つ又は２つ以上の置換基を有するＡＡの任意の誘導体から調製することができるポリマー中のモノマー構造単位を指す。好ましくは、かかる構造単位は、アクリル酸から直接調製される。
【００１３】
本明細書で使用するとき、用語「アンモニウム塩」又は「アンモニウム塩類」は、塩化アンモニウム、フッ化アンモニウム、臭化アンモニウム、ヨウ化アンモニウム、重硫酸アンモニウム、アルキル硫酸アンモニウム、リン酸二水素アンモニウム、水素アルキルリン酸アンモニウム、ジアルキルリン酸アンモニウムなどからなる群から選択される種々の化合物を指す。例えば、本明細書に記載されるジアリルジメチルアンモニウム塩類には、ジアリルジメチルアンモニウムクロリド（ＤＡＤＭＡＣ）、ジアリルジメチルアンモニウムフロリド、ジアリルジメチルアンモニウムブロミド、ジアリルジメチルアンモニウムヨード、ジアリルジメチルアンモニウムビスルフェート、ジアリルジメチルアンモニウムアルキルサルフェート、ジアリルジメチルアンモニウム二水素ホスフェート、ジアリルジメチルアンモニウム水素アルキルホスフェート、ジアリルジメチルアンモニウムジアルキルホスフェート及びこれらの組み合わせが挙げられるが、これらに限定されない。必須ではないものの、好ましくは、アンモニウム塩は、塩化アンモニウムである。
【００１４】
本明細書で使用するとき、請求項において使用される「ａ」及び「ａｎ」などの冠詞は、請求される又は記載される１つ又は２つ以上のものを意味すると理解される。
【００１５】
本明細書で使用するとき、用語「含む（comprising、comprises）」、及び「含む、挙げられる（include、includes、including）」は、非限定であることを意味する。用語「からなる」又は「から本質的になる」は、限定することを意味し、すなわち、不純物として存在する場合を除いて、明示されていない任意の構成要素又は構成成分を除外するものである。本明細書で使用されるとき、用語「実質的に含まない」は、ある成分が全く存在しないこと、又は、単なる不純物若しくは意図的でない別の成分の副産物がごく僅かに存在すること、のいずれかを指す。一部の態様では、ある成分を「実質的に含まない」組成物とは、その組成物が、その組成物の重量を基準として、当該成分を、０．１重量％未満、又は０．０１重量％未満、又は更には０重量％含むということを意味する。
【００１６】
本明細書で使用するとき、用語「固体」は、顆粒、粉末、棒状、ビーズ状及び錠剤の製品形態を含む。
【００１７】
本明細書で使用するとき、用語「流体」は、液体、ゲル、ペースト及び気体の製品形態を含む。
【００１８】
本明細書で使用するとき、用語「液体」は、２５℃及び剪断速度２０秒−１で、約１〜約２０００ｍＰａ＊ｓの粘度を有する液体を有する流体を指す。いくつかの実施形態では、液体の粘度は、２５℃、２０秒−１の剪断速度で約２００〜約１０００ｍＰａ＊ｓの範囲であり得る。いくつかの実施形態では、液体の粘度は、２５℃、２０秒−１の剪断速度で約２００〜約５００ｍＰａ＊ｓの範囲であり得る。
【００１９】
本明細書で使用するとき、用語「カチオン性ポリマー」は、正味カチオン電荷を有するポリマーを意味する。更に、本明細書に記載のカチオン性ポリマーは、一般に、ポリマー形成モノマー（例えば、（メタ）アクリルアミドモノマー、ＤＡＤＭＡＳモノマーなど）から既知の方法に従って合成されることが理解される。本明細書で使用するとき、得られるポリマーは、カチオン性ポリマーの「重合部分」とみなされる。しかしながら、合成反応が完了した後、ポリマー形成モノマーの一部分は、未反応のままであるか、かつ／又はオリゴマーを形成し得る。本明細書で使用するとき、未反応モノマー及びオリゴマーは、カチオン性ポリマーの「非重合部分」とみなされる。本明細書で使用するとき、用語「カチオン性ポリマー」は、別段の指示がない限り、重合部分と非重合部分の両方を含む。いくつかの態様では、カチオン性ポリマーは、カチオン性ポリマーの非重合部分を含む。いくつかの態様では、カチオン性ポリマーは、カチオン性ポリマーの重量に対して、約５０％未満、約３５％未満、約２０％未満、約１５％未満、約１０％未満、約５％未満、又は約２％未満の非重合部分を含む。非重合部分は、ポリマー形成モノマー、カチオン性ポリマー形成モノマー、ＤＡＤＭＡＣモノマー及び／又はこれらのオリゴマーを含み得る。いくつかの態様では、カチオン性ポリマーは、カチオン性ポリマーの重量に対して、約５０％超、約６５％超、約８０％超、約８５％超、約９０％超、約９５％超、又は約９８％超の重合部分を含む。更に、一度重合されたポリマー形成モノマーは、重合繰り返し／構造単位を形成するように変性され得ることは理解される。例えば、重合した酢酸ビニルを加水分解してビニルアルコールを形成することができる。
【００２０】
本明細書で使用するとき、「電荷密度」は、ポリマー自体の正味電荷密度を指し、原料モノマーとは異なることがある。ホモポリマーの電荷密度は、繰り返し（構造）単位当たりの正味電荷数を、繰り返し単位の分子量で除することにより計算することができる。正電荷は、ポリマーの主鎖上及び／又はポリマーの側鎖上に位置してもよい。一部のポリマーに関して、例えば、アミン構造単位を有するポリマーでは、電荷密度はキャリアのｐＨに依存する。これらのポリマーについては、ｐＨ７でのモノマーの電荷に基づいて電荷密度を計算する。「ＣＣＤ」はカチオン電荷密度を指し、「ＡＣＤ」はアニオン電荷密度を指す。通常、電荷は、必ずしも親モノマーではなく、重合構造単位に基づいて決定される。
【００２１】
本明細書で使用するとき、用語「カチオン電荷密度」（ＣＣＤ）は、ポリマー１ｇ当たりに存在する正味正電荷の量を意味する。カチオン電荷密度（ポリマー１ｇ当たりの電荷の当量単位）は、以下の等式に従って計算することができる。
【００２２】
【数１】
2019049000.tif 000002
式中、Ｑｃ、Ｑｎ及びＱａはそれぞれ、（存在する場合の）カチオン性、非イオン性及びアニオン性の繰り返し単位の電荷のモル当量であり、モル％ｃ、モル％ｎ及びモル％ａはそれぞれ、（存在する場合の）カチオン性、非イオン性及びアニオン性の繰り返し単位のモル比であり、ＭＷｃ、ＭＷｎ及びＭＷａはそれぞれ、（存在する場合の）カチオン性、非イオン性及びアニオン性の繰り返し単位の分子量である。１ｇ当たりの電荷当量を１ｇ当たりの電荷ミリ当量（ｍｅｑ／ｇ）に変換するには、当量を１０００倍する。ポリマーが複数種のカチオン性繰り返し単位、複数種の非イオン性繰り返し単位及び／又は複数種のアニオン性繰り返し単位を含む場合、当業者であれば、前記等式を適宜修正できるであろう。
【００２３】
例として、１６１．６７ｇ／モルのモノマー分子量を有するカチオン性ホモポリマー（モル比＝１００％又は１．００）の場合、ＣＣＤは次のように計算される。ポリマー電荷密度は、（１）×（１．００）／（１６１．６７）×１０００＝６．１９ｍｅｑ／ｇである。１６１．６７の分子量を有するカチオン性モノマーと、７１．０７９の分子量を有する中性コモノマーとのモル比１：１のコポリマーは、（１×０．５０）／［（０．５０×１６１．６７）＋（０．５０×７１．０７９）］＊１０００＝４．３ｍｅｑ／ｇとして計算される。１６１．６７の分子量を有するカチオン性モノマーと、７１．０７９の分子量を有する中性コモノマーと、９４．０４ｇ／モルの中性分子量を有するアニオン性コモノマーとのモル比８０．８：１５．４：３．８のターポリマーは、５．３ｍｅｑ／ｇのカチオン電荷密度を有する。
【００２４】
本明細書における全ての温度は、別段の指定がない限り、摂氏（℃）である。特に記載のない限り、本明細書中の全ての測定は、２０℃及び大気圧下で実施される。
【００２５】
本開示の全ての実施形態において、特に記載のない限り、全ての百分率は組成物の総重量を基準とする。特に記載のない限り、全ての比率は重量比である。
【００２６】
本明細書にて記載し、特許請求する組成物及び方法の各パラメータ値を求めるには、本出願の試験方法の項で開示される試験方法を使用すべきであることが理解される。
【００２７】
布地ケア組成物
本開示は、布地ケア組成物に関する。本明細書で使用するとき、語句「布地ケア組成物」は、布地を処理することを意図した組成物及び処方物を含む。このような組成物には、洗濯洗浄組成物及び洗剤、布地柔軟化組成物、布地向上組成物、布地フレッシュニング組成物、洗濯予洗液、洗濯前処理液、洗濯添加剤、スプレー製品、ドライクリーニング剤又は組成物、洗濯すすぎ添加剤、洗浄添加剤、すすぎ後布地処理剤、アイロン助剤、単位用量処方物、遅延送達処方物、多孔質基材又は不織布シートの上又は中に含まれる洗剤、並びに本明細書の教示を鑑みて当業者に明らかとなり得る他の好適な形態が挙げられるが、これらに限定されない。このような組成物は、洗濯前処理剤、洗濯後処理剤として使用されてもよく、あるいは、洗濯操作のすすぎ又は洗浄サイクル中に添加されてもよい。好ましくは、本組成物は、洗濯前処理剤として、又は洗浄サイクル中に使用される。この洗浄組成物は、液体、粉末、単相若しくは多相単位用量、パウチ、錠剤、ゲル、ペースト、棒状又はフレークから選択される形態を有してもよい。
【００２８】
洗剤組成物は、好ましくは、液体洗濯洗剤である。液体洗濯洗剤組成物は、約１〜約２０００センチポアズ（１〜２０００ｍＰａ・ｓ）、又は約２００〜約８００センチポアズ（２００〜８００ｍＰａ・ｓ）の粘度を有することが好ましい。粘度は、Ｂｒｏｏｋｆｉｅｌｄ粘度計、スピンドル番号２を６０ＲＰＭ／ｓで用い、２５℃で測定して求める。
【００２９】
一実施形態では、洗濯洗剤組成物は、固体洗濯洗剤組成物、及び好ましくは流動性粒子状洗濯洗剤組成物（すなわち、粒状の洗剤製品）である。
【００３０】
一部の態様では、布地ケア組成物は、単位用量形態である。単位用量物品は、物品内に含まれる組成物の特定用途のための用量を１回で簡単に使用できることが意図される。単位用量形態は、パウチ又は水溶性シートであってもよい。パウチは、少なくとも１つ、少なくとも２つ又は少なくとも３つの区画を備える。通常、組成物は、複数の区画のうちの少なくとも１つに収容される。区画は、重ねて配向された状態で配置されてもよく、すなわち、１つの区画が他の区画の上に配置され、共通の壁部を共有し得る。一態様において、少なくとも１つの区画が別の区画の上に重ねられる。あるいは、区画は、並べて配向された状態で配置されてもよく、すなわち、１つの区画が他の区画の隣に配置されてもよい。区画は、更に「タイヤ・リム」配列に配向されてもよく、すなわち、第１の区画が第２の区画の隣に位置し、第１の区画は少なくとも部分的に第２の区画を囲むが、第２の区画を完全に包んではいない。あるいは、１つの区画が別の区画内に完全に包まれていてもよい。
【００３１】
一部の態様では、単位用量形態は、区画を形成し、洗剤組成物を封入する水溶性フィルムを備える。好ましいフィルム材料は、好ましくは、ポリマー材料であり、例えば、水溶性フィルムは、ポリビニルアルコールを含み得る。フィルム材料は、当該技術分野において既知であるように、例えば、ポリマー材料のキャスティング、吹込成形、押出成形、又は吹込押出成形により得ることができる。好適なフィルムは、Ｍｏｎｏｓｏｌ（Ｍｅｒｒｉｌｌｖｉｌｌｅ、Ｉｎｄｉａｎａ、ＵＳＡ）が商品照会名Ｍ８６３０、Ｍ８９００、Ｍ８７７９及びＭ８３１０で供給するもの、米国特許第６１６６１１７号、米国特許第６７８７５１２号及び米国特許出願公開第２０１１／０１８８７８４号に記載のフィルム、並びに対応する溶解度及び変形特性を有するＰＶＡフィルムである。
【００３２】
布地ケア組成物が液体である場合、布地ケア組成物は、通常、水を含む。組成物は、組成物の重量に対して、約１％〜約８０％の水を含み得る。組成物が液体組成物、例えば、重質の液体洗剤組成物である場合、組成物は、通常、約４０％〜約８０％の水を含む。組成物がコンパクト液体洗剤である場合、組成物は、通常、約２０％〜約６０％、又は約３０％〜約５０％の水を含む。組成物が、例えば、水溶性フィルム内に封入される単位用量形態である場合、組成物は、通常、２０％未満、１５％未満、１２％未満、１０％未満、８％未満、又は５％未満の水を含む。一部の態様では、組成物は、組成物重量に対して、約１％〜２０％、又は約３％〜約１５％、又は約５％〜約１２％の水を含む。
【００３３】
カチオン性ポリマー
本開示の洗剤組成物は、カチオン性ポリマーを含む。特定のカチオン性ポリマーが、感触効果をもたらし、又は、他の感触活性剤、例えば、シリコーンの沈着を容易にするために、洗剤組成物に使用され得る。本明細書に記載のカチオン性ポリマーは、特定の界面活性剤系との組み合わせにおいて、改善されたシリコーン沈着を提供する。
【００３４】
一部の態様では、本明細書に記載のカチオン性ポリマーは、算出カチオン電荷密度が、約１ｍｅｑ／ｇ又は約１．２ｍｅｑ／ｇ又は約１．５ｍｅｑ／ｇ又は約１．９ｍｅｑ／ｇから、約１２ｍｅｑ／ｇ又は約８ｍｅｑ／ｇ又は約６ｍｅｑ／ｇ又は約５ｍｅｑ／ｇ又は約４ｍｅｑ／ｇ又は約３ｍｅｑ／ｇ又は約２．５ｍｅｑ／ｇ又は約２ｍｅｑ／ｇであることを特徴とする。一部の態様では、本明細書に記載のカチオン性ポリマーは、カチオン電荷密度が約１ｍｅｑ／ｇ〜約６ｍｅｑ／ｇ又は約５ｍｅｑ／ｇ又は約４ｍｅｑ／ｇ又は約２．５ｍｅｑ／ｇでもあることを特徴とする。
【００３５】
本明細書に記載のカチオン性ポリマーは、約２００ｋダルトン〜約５０００ｋダルトン、好ましくは約５００ｋダルトン〜約５０００ｋダルトン、より好ましくは約６００ｋダルトン〜約５０００ｋダルトン、より好ましくは約８００ｋダルトン〜約２０００ｋダルトンの重量平均分子量を有する。
【００３６】
洗剤組成物は、通常、洗剤組成物の重量に対して、約０．０１％〜約２％、〜約１．５％、〜約１％、〜約０．７５％、〜約０．５％若しくは〜約０．３％まで、又は約０．０５％〜約０．２５％のカチオン性ポリマーを含む。
【００３７】
一部の態様では、本明細書に記載のカチオン性ポリマーは、シリコーン由来構造単位を実質的に含んでいないか、又は、含んでいない。この限定は、洗剤組成物自体がシリコーンを含むことを除外するものではなく、また本明細書に記載のカチオン性ポリマーが当該洗剤組成物中又は洗浄溶液中に含まれるシリコーンと複合化することを除外するものでもないことが理解される。
【００３８】
本開示の組成物は、特に組成物がアミラーゼ、リパーゼ及び／又はプロテアーゼなどの酵素を含む場合、カチオン性ヒドロキシエチレンセルロースなどの多糖系カチオン性ポリマーを実質的に含んでいなくてもよい。このような多糖系ポリマーは、通常、市販されている酵素中に微量に存在することが多いセルラーゼ酵素による分解を受けやすい。したがって、多糖系カチオン性ポリマーを含む組成物は、通常、セルラーゼが意図的に添加されない場合であっても、一般的に酵素とともには用いられない。このため、一部の態様では、本件の組成物は、非多糖類系カチオン性ポリマーである。
【００３９】
一部の態様では、カチオン性ポリマーは、構造単位から構成される。構造単位は、非イオン性、カチオン性、アニオン性、又はこれらの混合物であり得る。本明細書に記載のポリマーは、非カチオン性構造単位を含み得るが、本ポリマーは、それでも正味カチオン電荷を有することを特徴とする。
【００４０】
一部の態様では、カチオン性ポリマーは、１種類の構造単位のみからなる。すなわち、このポリマーは、ホモポリマーである。一部の態様では、カチオン性ポリマーは、２種類の構造単位からなる。すなわち、このポリマーは、コポリマーである。一部の態様では、カチオン性ポリマーは、３種類の構造単位からなる。すなわち、このポリマーは、ターポリマーである。一部の態様では、カチオン性ポリマーは、２種類以上の構造単位を含む。構造単位は、第１の構造単位、第２の構造単位、第３の構造単位などとして記載され得る。構造単位、すなわちモノマーは、ランダム型又はブロック型のカチオン性ポリマーで組み込まれ得る。
【００４１】
一部の態様では、カチオン性ポリマーは、非イオン性構造単位を含む。一部の態様では、カチオン性ポリマーは、約５モル％〜約９８モル％、又は約１０モル％〜約９５モル％、又は約１５モル％〜約９０モル％の非イオン性構造単位を含む。一部の態様では、カチオン性ポリマーは、（メタ）アクリルアミド、Ｎ，Ｎ−ジアルキルアクリルアミド、Ｎ，Ｎ−ジアルキルメタクリルアミド、Ｃ１〜Ｃ１２アルキルアクリレート、Ｃ１〜Ｃ１２ヒドロキシアルキルアクリレート、ポリアルキレングリコールアクリレート、Ｃ１〜Ｃ１２アルキルメタクリレート、Ｃ１〜Ｃ１２ヒドロキシアルキルメタクリレート、ポリアルキレングリコールメタクリレート、ビニルアセテート、ビニルアルコール、ビニルホルムアミド、ビニルアセトアミド、ビニルアルキルエーテル、ビニルピリジン、ビニルピロリドン、ビニルイミダゾール、ビニルカプロラクタム、及びそれらの混合物からなる群から選択されるモノマー由来の非イオン性構造単位を含む。
【００４２】
一部の態様では、カチオン性ポリマーは、カチオン性構造単位を含む。一部の態様では、カチオン性ポリマーは、約２モル％〜約１００モル％、又は約５モル％〜約９５モル％、又は約１０モル％〜約９０モル％、又は約１５モル％〜約８５モル％、又は約２０モル％〜約８０モル％、又は約２５モル％〜約７５モル％のカチオン性構造単位を含む。
【００４３】
一部の態様では、カチオン性ポリマーは、カチオン性モノマー由来のカチオン性構造単位を含む。一部の態様では、カチオン性モノマーは、Ｎ，Ｎ−ジアルキルアミノアルキルメタクリレート、Ｎ，Ｎ−ジアルキルアミノアルキルアクリレート、Ｎ，Ｎ−ジアルキルアミノアルキルアクリルアミド、Ｎ，Ｎ−ジアルキルアミノアルキルメタクリルアミド、四級化Ｎ，Ｎ−ジアルキルアミノアルキルアクリレート、四級化Ｎ，Ｎ−ジアルキルアミノアルキルメタクリレート、四級化Ｎ，Ｎ−ジアルキルアミノアルキルアクリルアミド、四級化Ｎ，Ｎ−ジアルキルアミノアルキルメタクリルアミド、メタクリルアミドアルキルトリアルキルアンモニウム塩、アクリルアミドアルキルトリアルキルアミニウム塩、ビニルアミン、ビニルイミン、ビニルイミダゾール、四級化ビニルイミダゾール、ジアリルジアルキルアンモニウム塩、及びそれらの混合物からなる群から選択される。
【００４４】
好ましくは、カチオン性モノマーは、ジアリルジメチルアンモニウム塩（ＤＡＤＭＡＳ）、Ｎ，Ｎ−ジメチルアミノエチルアクリレート、Ｎ，Ｎ−ジメチルアミノエチルメタクリレート（ＤＭＡＭ）、［２−（メタクリロイルアミノ）エチル］トリ−メチルアンモニウム塩、Ｎ，Ｎ−ジメチルアミノプロピルアクリルアミド（ＤＭＡＰＡ）、Ｎ，Ｎ−ジメチルアミノプロピルメタクリルアミド（ＤＭＡＰＭＡ）、アクリルアミドプロピルトリメチルアンモニウム塩（ＡＰＴＡＳ）、メタクリルアミドプロピルトリメチルアンモニウム塩（ＭＡＰＴＡＳ）、四級化ビニルイミダゾール（ＱＶｉ）、及びそれらの混合物からなる群から選択される。
【００４５】
更により好ましくは、カチオン性ポリマーは、ジアリルジメチルアンモニウム塩（ＤＡＤＭＡＳ）、アクリルアミドプロピルトリメチルアンモニウム塩（ＡＰＴＡＳ）、メタクリルアミドプロピルトリメチルアンモニウム塩（ＭＡＰＴＡＳ）、四級化ビニルイミダゾール（ＱＶｉ）、及びこれらの混合物に由来するカチオン性モノマーを含む。通常、ＤＡＤＭＡＳ、ＡＰＴＡＳ、及びＭＡＰＴＡＳは、塩素を含む塩（すなわちＤＡＤＭＡＣ、ＡＰＴＡＣ、及び／又はＭＡＰＴＡＣ）である。
【００４６】
一部の態様では、カチオン性ポリマーは、アニオン性構造単位を含む。カチオン性ポリマーは、約０．０１モル％〜約１５モル％、又は約０．１モル％〜約１０モル％、又は約１モル％〜約５モル％、又は約１．５モル％〜約４モル％のアニオン性構造単位を含み得る。一部の態様では、ポリマーは、０モル％のアニオン性構造単位を含む、すなわち、アニオン性構造単位を実質的に含まない。一部の態様では、アニオン性構造単位は、アクリル酸（ＡＡ）、メタクリル酸、マレイン酸、ビニルスルホン酸、スチレンスルホン酸、アクリルアミドプロピルメタンスルホン酸（ＡＭＰＳ）及びそれらの塩、並びにそれらの混合物からなる群から選択されるアニオン性モノマーに由来する。
【００４７】
一部の態様では、カチオン性ポリマーは、アクリルアミド／ＤＡＤＭＡＳ、アクリルアミド／ＤＡＤＭＡＳ／アクリル酸、アクリルアミド／ＡＰＴＡＳ、アクリルアミド／ＭＡＰＴＡＳ、アクリルアミド／ＱＶｉ、ポリビニルホルムアミド／ＤＡＤＭＡＳ、ポリ（ＤＡＤＭＡＳ）、アクリルアミド／ＭＡＰＴＡＳ／アクリル酸、アクリルアミド／ＡＰＴＡＳ／アクリル酸、及びそれらの混合物から選択される。好ましくは、カチオン性ポリマーは、アクリルアミド／ＭＡＰＴＡＳであり、より好ましくは、アクリルアミド／ＭＡＰＴＡＣである。
【００４８】
特に好ましい実施形態では、カチオン性ポリマーは、約１ｍｅｑ／ｇ〜約２ｍｅｑ／ｇの算出カチオン電荷密度及び約８００ｋダルトン〜約２０００ｋダルトンの重量平均分子量を有するアクリルアミド／ＭＡＰＴＡＣポリマーである。
【００４９】
カチオン性ポリマーは、カチオン性多糖類を含み得る。カチオン性多糖類としては、カチオン性セルロース誘導体、カチオン性グアーガム誘導体、キトサン及び誘導体、並びにカチオン性デンプンが挙げられる。好適なカチオン性多糖類としては、カチオン性変性セルロース、特にカチオン性ヒドロキシエチルセルロース及びカチオン性ヒドロキシプロピルセルロースが挙げられる。本明細書で用いるのに好ましいカチオン性セルロース類としては、５０，０００〜２，０００，０００、より好ましくは１００，０００〜１，０００，０００、及び最も好ましくは２００，０００〜８００，０００の分子量を有する、疎水変性されていても、されていなくてもよいもの、例えば、疎水性置換基を有するものが挙げられる。これらのカチオン性の物質は、以下の一般構造式Ｉに従う、置換型の無水グルコース繰り返し単位を有する。
【００５０】
【化１】
2019049000.tif 000003
式中、
ａ．ｍは、２０〜１０，０００の整数であり、
ｂ．各Ｒ４は、Ｈであり、Ｒ１、Ｒ２、Ｒ３は、それぞれ独立して、Ｈ、Ｃ１〜Ｃ３２アルキル、Ｃ１〜Ｃ３２置換アルキル、Ｃ５〜Ｃ３２若しくはＣ６〜Ｃ３２アリール、Ｃ５〜Ｃ３２若しくはＣ６〜Ｃ３２置換アリール、又はＣ６〜Ｃ３２アルキルアリール若しくはＣ６〜Ｃ３２置換アルキルアリール、並びに
【００５１】
【化２】
2019049000.tif 000004
からなる群から選択され、好ましくは、Ｒ１、Ｒ２、Ｒ３は、それぞれ独立して、Ｈ及びＣ１〜Ｃ４アルキルからなる群から選択され、
ここで、
ｎは、０〜１０から選択される整数であり、
Ｒｘは、Ｒ５、
【００５２】
【化３】
2019049000.tif 000005
からなる群から選択され、
ここで、前記多糖類中の少なくとも１つのＲｘは、
【００５３】
【化４】
2019049000.tif 000006
からなる群から選択される構造を有し、
式中、Ａ−は、適切なアニオンであり、好ましくは、Ａ−は、Ｃｌ−、Ｂｒ−、Ｉ−、メチルサルフェート、エチルサルフェート、トルエンスルホネート、カルボキシレート、及びホスホネートからなる群から選択され、
Ｚは、カルボキシレート、ホスフェート、ホスホネート、及びサルフェートからなる群から選択され、
ｑは、１〜４から選択される整数であり、
各Ｒ５は、独立して、Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、及びＯＨからなる群から選択され、好ましくは、各Ｒ５は、Ｈ、Ｃ１〜Ｃ３２アルキル、及びＣ１〜Ｃ３２置換アルキルからなる群から選択され、より好ましくは、Ｒ５は、Ｈ、メチル、及びエチルからなる群から選択され、
各Ｒ６は、独立して、Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、及びＣ６〜Ｃ３２置換アルキルアリールからなる群から選択され、好ましくは、各Ｒ６は、Ｈ、Ｃ１〜Ｃ３２アルキル、及びＣ１〜Ｃ３２置換アルキルからなる群から選択され、
各Ｔは、独立して、Ｈ、
【００５４】
【化５】
2019049000.tif 000007
からなる群から選択され、
ここで、前記多糖類中の各ｖは、１〜１０の整数であり、好ましくは、ｖは、１〜５の整数であり、前記多糖類中の各Ｒｘにおける全てのｖ指数の合計は、１〜３０、より好ましくは１〜２０、更により好ましくは１〜１０の整数であり、鎖中の最後の
【００５５】
【化６】
2019049000.tif 000008
基において、Ｔは、常に、Ｈである。
【００５６】
ポリマーの無水グルコース環上のアルキル置換の範囲は、ポリマー物質のグルコース単位１個当り０．０１％〜５％、より好ましくはグルコース単位１個当り０．０５％〜２％である。
【００５７】
環境温度で水に加えた際に、塊、団塊、又は他の凝集体の形成を防止するために、カチオン性セルロースは、ジアルデヒド、例えば、グリオキシルにより軽く架橋されていてもよい。
【００５８】
構造式Ｉのカチオン性セルロースエーテルには、同様に、市販のものが包含され、市販物質から従来の化学修飾によって調製できる物質が更に包含される。構造式Ｉのタイプの市販のセルロースエーテル類としては、ＩＮＣＩ名ポリクオタニウム１０のもの、例えば、商標名：Ｕｃａｒｅ  Ｐｏｌｙｍｅｒ  ＪＲ  ３０Ｍ、ＪＲ  ４００、ＪＲ  １２５、ＬＲ  ４００、及びＬＫ  ４００  Ｐｏｌｙｍｅｒで販売されているもの；ポリクオタニウム６７、例えば、商標名Ｓｏｆｔｃａｔ  ＳＫ（商標）で販売されているもの（これらは全て、Ａｍｅｒｃｈｏｌ  Ｃｏｒｐｏｒａｔｉｏｎ（Ｅｄｇｅｗａｔｅｒ  ＮＪ）により販売されている）；並びにポリクオタニウム４、例えば、商標名：Ｃｅｌｑｕａｔ  Ｈ２００及びＣｅｌｑｕａｔ  Ｌ−２００で販売されているもの（Ｎａｔｉｏｎａｌ  Ｓｔａｒｃｈ  ａｎｄ  Ｃｈｅｍｉｃａｌ  Ｃｏｍｐａｎｙ（Ｂｒｉｄｇｅｗａｔｅｒ，ＮＪ）から入手可能である）が挙げられる。他の好適な多糖類としては、グリシジルＣ１２〜Ｃ２２アルキルジメチルアンモニウムクロリドで四級化されたヒドロキシエチルセルロース又はヒドロキシプロピルセルロースが挙げられる。このような多糖類の例としては、商標名Ｑｕａｔｅｒｎｉｕｍ  ＬＭ２００でＡｍｅｒｃｈｏｌ  Ｃｏｒｐｏｒａｔｉｏｎ（Ｅｄｇｅｗａｔｅｒ  ＮＪ）から市販されている、ＩＮＣＩ名ポリクオタニウム２４のポリマーが挙げられる。カチオン性デンプンは、Ｄ．Ｂ．Ｓｏｌａｒｅｋ  ｉｎ  Ｍｏｄｉｆｉｅｄ  Ｓｔａｒｃｈｅｓ，Ｐｒｏｐｅｒｔｉｅｓ  ａｎｄ  Ｕｓｅｓ（ＣＲＣ  Ｐｒｅｓｓにより出版（１９８６））及び米国特許第７，１３５，４５１号、２段落３３行〜４段落６７行に記載されている。好適なカチオン性ガラクトマンナンとしては、カチオン性グアーガム又はカチオン性ローカストビーンガムが挙げられる。カチオン性グアーガムの例は、ヒドロキシプロピルグアーの第四級アンモニウム誘導体、例えば、商標名：Ｊａｇｕａｒ  Ｃ１３及びＪａｇｕａｒ  Ｅｘｃｅｌで、Ｒｈｏｄｉａ，Ｉｎｃ（Ｃｒａｎｂｕｒｙ  ＮＪ）及びＮ−Ｈａｎｃｅ  ｂｙ  Ａｑｕａｌｏｎ（Ｗｉｌｍｉｎｇｔｏｎ、ＤＥ）から入手できるものである。
【００５９】
シリコーン
本布地ケア組成物は、感触及び／又は色の効果を布地にもたらすことが知られている有益剤であるシリコーンを含み得る。出願人らは、驚くべきことに、シリコーンと、カチオン性ポリマーと、界面活性剤系と、を含む本開示に係る組成物が、柔軟性及び／又は白さの効果を改善することを見出した。
【００６０】
布地ケア組成物は、組成物の重量に対して、約０．１％〜約３０％、約０．１％〜約１５％、約０．２％〜約１２％、約０．５％〜約１０％、約０．７％〜約９％、又は約１％〜約５％のシリコーンを含み得る。
【００６１】
シリコーンは、Ｓｉ−Ｏ部分を含むポリマーであるポリシロキサンであってもよい。シリコーンは、官能化シロキサン部分を含むシリコーンであってもよい。好適なシリコーンは、Ｓｉ−Ｏ部分を含み得、（ａ）非官能化シロキサンポリマー、（ｂ）官能化シロキサンポリマー及びこれらの組み合わせから選択することができる。官能化シロキサンポリマーは、アミノシリコーン、シリコーンポリエーテル、ポリジメチルシロキサン（ＰＤＭＳ）、カチオン性シリコーン、シリコーンポリウレタン、シリコーンポリ尿素又はこれらの混合物を含み得る。シリコーンは、環状シリコーンを含み得る。環状シリコーンは、式［（ＣＨ３）２ＳｉＯ］ｎ（式中、ｎは、約３〜約７、又は約５〜約６の範囲であり得る整数である）のシクロメチコンを含み得る。
【００６２】
シリコーンの分子量は、通常、材料の粘度に照らして示される。シリコーン類は、２５℃で、約１０〜約２，０００，０００平方ミリメートル毎秒（約１０〜約２，０００，０００センチストークス）の粘度を備え得る。好適なシリコーンは、２５℃で、約１０〜約８００，０００平方ミリメートル毎秒（約１０〜約８００，０００センチストークス）、又は約１００〜約２００，０００平方ミリメートル毎秒（約１００〜約２００，０００センチストークス）、又は約１０００〜約１００，０００平方ミリメートル毎秒（約１０００〜約１００，０００センチストークス）、又は約２０００〜約５０，０００平方ミリメートル毎秒（約２０００〜約５０，０００センチストークス）、又は約２５００〜約１０，０００平方ミリメートル毎秒（約２５００〜約１０，０００センチストークス）の粘度を有し得る。
【００６３】
好適なシリコーンは、直鎖状、分岐状又は架橋型であってもよい。シリコーンは、シリコーン樹脂を含み得る。シリコーン樹脂は、高架橋ポリマーシロキサン系である。架橋は、シリコーン樹脂の製造中に、三官能性及び四官能性シランを一官能性又は二官能性又はこれら両方のシランとともに組み込むことによって導入される。本明細書で使用するとき、ＳｉＯ「ｎ」／２という命名法は、酸素のケイ素原子に対する比を表す。例えば、ＳｉＯ１／２は、１つの酸素が２つのＳｉ原子間で共有されていることを意味する。同様に、ＳｉＯ２／２は、２つの酸素原子が２つのＳｉ原子間で共有されていることを意味し、ＳｉＯ３／２は、３つの酸素原子が２つのＳｉ原子間で共有されていることを意味する。
【００６４】
シリコーンは、非官能化シロキサンポリマーを含み得る。非官能化シロキサンポリマーは、ポリアルキル及び／又はフェニルシリコーンの流体、樹脂及び／又はゴムを含み得る。非官能化シロキサンポリマーは、以下の式（Ｉ）を有し得る。
【００６５】
［Ｒ１Ｒ２Ｒ３ＳｉＯ１／２］ｎ［Ｒ４Ｒ４ＳｉＯ２／２］ｍ［Ｒ４ＳｉＯ３／２］ｊ
式（Ｉ）
式中、
ｉ）各Ｒ１、Ｒ２、Ｒ３及びＲ４は、独立して、Ｈ、−ＯＨ、Ｃ１〜Ｃ２０アルキル、Ｃ１〜Ｃ２０置換アルキル、Ｃ６〜Ｃ２０アリール、Ｃ６〜Ｃ２０置換アリール、アルキルアリール及び／又はＣ１〜Ｃ２０アルコキシ部分からなる群から選択することができ、
ｉｉ）ｎは、ｎ＝ｊ＋２となるように、約２〜約１０、若しくは約２〜約６の整数、又は２であってもよく、
ｉｉｉ）ｍは、約５〜約８，０００、約７〜約８，０００、又は約１５〜約４，０００の整数であってもよく、
ｉｖ）ｊは、０〜約１０、又は０〜約４の整数、又は０であってもよい。
【００６６】
Ｒ２、Ｒ３及びＲ４は、メチル、エチル、プロピル、Ｃ４〜Ｃ２０アルキル、及び／又はＣ６〜Ｃ２０アリール部分を含み得る。Ｒ２、Ｒ３及びＲ４のそれぞれは、メチルであってもよい。シリコーン鎖の末端をブロックするそれぞれのＲ１部分は、水素、メチル、メトキシ、エトキシ、ヒドロキシ、プロポキシ、及び／又はアリールオキシからなる群から選択される部分を含み得る。
【００６７】
シリコーンは、官能化シロキサンポリマーを含み得る。官能化シロキサンポリマーは、アミノ、アミド、アルコキシ、ヒドロキシ、ポリエーテル、カルボキシ、ヒドリド、メルカプト、サルフェート、ホスフェート、及び／又は第四級アンモニウム部分からなる群から選択される１つ又は２つ以上の官能化部分を含み得る。これらの部分は、二価アルキレンラジカルを通してシロキサン主鎖に直接結合してもよく（すなわち、「ペンダント」）、又は主鎖の一部であってもよい。好適な官能化シロキサンポリマーとしては、アミノシリコーン、アミドシリコーン、シリコーンポリエーテル、シリコーン−ウレタンポリマー、第４級ＡＢｎシリコーン、アミノＡＢｎシリコーン、及びこれらの組み合わせからなる群から選択される材料が挙げられる。
【００６８】
官能化シロキサンポリマーは、「ジメチコンコポリオール」とも呼ばれるシリコーンポリエーテルを含んでもよい。一般に、シリコーンポリエーテルは、１本又は２本以上のポリオキシアルキレン鎖を有するポリジメチルシロキサン主鎖を含む。ポリオキシアルキレン部分は、ペンダント鎖として、又は末端ブロックとしてポリマーに組み込まれ得る。かかるシリコーンは、米国特許出願公開第２００５／００９８７５９号、並びに米国特許第４，８１８，４２１号、及び同第３，２９９，１１２号に記載されている。例示的な商業的に入手可能なシリコーンポリエーテルとしては、ＤＣ  １９０、ＤＣ  １９３、ＦＦ４００（いずれも、Ｄｏｗ  Ｃｏｒｎｉｎｇ（登録商標）Ｃｏｒｐｏｒａｔｉｏｎから入手可能である）、及び様々なＳｉｌｗｅｔ（登録商標）界面活性剤（Ｍｏｍｅｎｔｉｖｅ  Ｓｉｌｉｃｏｎｅｓから入手可能である）が挙げられる。
【００６９】
シリコーンは、以下の式（ＩＩ）を有するランダム型又はブロック型のシリコーンポリマーから選択することができる。
【００７０】
［Ｒ１Ｒ２Ｒ３ＳｉＯ１／２］（ｊ＋２）［（Ｒ４Ｓｉ（Ｘ−Ｚ）Ｏ２／２］ｋ［Ｒ４Ｒ４ＳｉＯ２／２］ｍ［Ｒ４ＳｉＯ３／２］ｊ
式（ＩＩ）
式中、
ｊは、０〜約９８の整数であり、一態様では、ｊは０〜約４８の整数であり、一態様では、ｊは、０であり、
ｋは、０〜約２００の整数であり、一態様では、ｋは、０〜約５０、又は約２〜約２０の整数であり、ｋ＝０のとき、Ｒ１、Ｒ２、又はＲ３のうちの少なくとも１つは、−Ｘ−Ｚであり、
ｍは、４〜約５，０００の整数であり、一態様において、ｍは、約１０〜約４，０００の整数であり、別の態様において、ｍは、約５０〜約２，０００の整数であり、
Ｒ１、Ｒ２及びＲ３は、それぞれ独立して、Ｈ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ、Ｃ１〜Ｃ３２置換アルコキシ及びＸ−Ｚからなる群から選択され、
各Ｒ４は、独立して、Ｈ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ及びＣ１〜Ｃ３２置換アルコキシからなる群から選択され、
前記アルキルシロキサンポリマー中の各Ｘは、２〜１２個の炭素原子を含む置換又は無置換の二価アルキレンラジカルを含み、一態様では、それぞれの二価アルキレンラジカルは、独立して、−（ＣＨ２）ｓ−（式中、ｓは、約２〜約８、約２〜約４の整数である）からなる群から選択され、一態様では、前記アルキルシロキサンポリマー中の各Ｘは、−ＣＨ２−ＣＨ（ＯＨ）−ＣＨ２−、−ＣＨ２−ＣＨ２−ＣＨ（ＯＨ）−、及び
【００７１】
【化７】
2019049000.tif 000009
からなる群から選択される置換された二価アルキレンラジカルを含み、
各Ｚは、独立して、
【００７２】
【化８】
2019049000.tif 000010
からなる群から選択され、
ただし、Ｚが第四級アンモニウム化合物である場合、Ｑは、アミド、イミン、又は尿素部分ではあり得ず、
Ｚについて、Ａｎ−は、好適な電荷平衡アニオンであり、例えば、Ａｎ−は、Ｃｌ−、Ｂｒ−、Ｉ−、メチルサルフェート、トルエンスルホネート、カルボキシレート及びホスフェートからなる群から選択され得、前記シリコーン中の少なくとも１つのＱは、独立して、Ｈ、
−ＣＨ２−ＣＨ（ＯＨ）−ＣＨ２−Ｒ５、
【００７３】
【化９】
2019049000.tif 000011
からなる群から選択され、
前記シリコーン中の各追加のＱは、独立して、Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、−ＣＨ２−ＣＨ（ＯＨ）−ＣＨ２−Ｒ５、
【００７４】
【化１０】
2019049000.tif 000012
からなる群から選択され、
各Ｒ５は、独立して、Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、−（ＣＨＲ６−ＣＨＲ６−Ｏ−）ｗ−Ｌ及びシロキシル残基からなる群から選択され、
各Ｒ６は、独立して、Ｈ、Ｃ１〜Ｃ１８アルキルから選択され、
各Ｌは、独立して、−Ｃ（Ｏ）−Ｒ７又はＲ７から選択され、
ｗは、０〜約５００の整数であり、一態様では、ｗは、約１〜約２００の整数であり、一態様において、ｗは、約１〜約５０の整数であり、
各Ｒ７は、独立して、Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、及びシロキシル残基からなる群から選択され、
各Ｔは、独立して、Ｈ、
【００７５】
【化１１】
2019049000.tif 000013
から選択され、
前記シリコーン中の各ｖは、１〜約１０の整数であり、一態様では、ｖは、１〜約５の整数であり、シリコーン中の各Ｑにおける全ての添え字ｖの合計は、１〜約３０又は１〜約２０更に又は１〜約１０の整数である。
【００７６】
Ｒ１は、−ＯＨを含み得る。
【００７７】
官能化シロキサンポリマーは、アミノシリコーンを含み得る。アミノシリコーンは、官能基を含み得る。官能基は、モノアミン、ジアミン又はこれらの組み合わせを含み得る。官能基は、一級アミン、二級アミン、三級アミン、四級化アミン又はこれらの組み合わせを含み得る。官能基は、一級アミン、二級アミン又はこれらの組み合わせを含み得る。
【００７８】
例えば、官能化シロキサンポリマーは、式ＩＩ（上述）の式を有するアミノシリコーンを含み得、式中、ｊは、０であり、ｋは、１〜約１０の整数であり、ｍは、１５０〜約１０００、又は約３２５〜約７５０、又は約４００〜約６００の整数であり、各Ｒ１、Ｒ２及びＲ３は、独立して、Ｃ１〜Ｃ３２アルコキシ及びＣ１〜Ｃ３２アルキルから選択され、各Ｒ４は、Ｃ１〜Ｃ３２アルキルであり、各Ｘは、−（ＣＨ２）ｓ−（式中、ｓは、約２〜約８、又は約２〜約４の整数である）からなる群から選択され、各Ｚは、独立して、
【化１２】
2019049000.tif 000014
（式中、シリコーン中の各Ｑは、Ｈからなる群から選択される）からなる群から選択される。
【００７９】
官能化シロキサンポリマーは、式ＩＩ（上述）の式を有するアミノシリコーンを含み得、式中、ｊは、０であり、ｋは、１〜約１０の整数であり、ｍは、１５０〜約１０００、又は約３２５〜約７５０、又は約４００〜約６００の整数であり、各Ｒ１、Ｒ２及びＲ３は、独立して、Ｃ１〜Ｃ３２アルコキシ及びＣ１〜Ｃ３２アルキルから選択され、各Ｒ４は、Ｃ１〜Ｃ３２アルキルであり、各Ｘは、−（ＣＨ２）ｓ−（式中、ｓは、約２〜約８、又は約２〜約４の整数である）からなる群から選択され、各Ｚは、独立して、
【００８０】
【化１３】
2019049000.tif 000015
（式中、シリコーン中の各Ｑは、独立して、Ｈ、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール及びＣ５〜Ｃ３２置換アルキルアリールからなる群から選択されるが、両方のＱがＨ原子ではあることはない）からなる群から選択される。
【００８１】
他の好適なアミノシリコーンは、米国特許第７，３３５，６３０（Ｂ２）号及び同第４，９１１，８５２号、並びに米国特許出願公開第２００５／０１７０９９４（Ａ１）号に記載されている。アミノシリコーンは、米国特許仮出願公開第６１／２２１，６３２号に記載されているものであってもよい。
【００８２】
例示的な市販のアミノシリコーンには、Ｄｏｗ  Ｃｏｒｎｉｎｇ（登録商標）Ｃｏｒｐｏｒａｔｉｏｎから入手可能なＤＣ  ８８２２、２−８１７７及びＤＣ−９４９、Ｓｈｉｎ−Ｅｔｓｕ  Ｓｉｌｉｃｏｎｅｓ（Ａｋｒｏｎ，ＯＨ）から入手可能なＫＦ−８７３、並びにＭｏｍｅｎｔｉｖｅ（Ｃｏｌｕｍｂｕｓ，Ｏｈｉｏ，ＵＳＡ）から入手可能なＭａｇｎａｓｏｆｔ  Ｐｌｕｓが挙げられる。
【００８３】
官能化シロキサンポリマーは、米国特許仮出願公開第６１／１７０，１５０号に記載されているようなシリコーン−ウレタンを含み得る。これらは、Ｗａｃｋｅｒ  Ｓｉｌｉｃｏｎｅｓから商標名ＳＬＭ−２１２００（登録商標）で市販されている。
【００８４】
他の変性シリコーン又はシリコーンコポリマーも本明細書にて有用であり得る。これらの例には、米国特許第６，６０７，７１７号及び同第６，４８２，９６９号に開示されているシリコーン系第四級アンモニウム化合物（ケナン第四級化合物）；末端四級シロキサン；米国特許第５，８０７，９５６号及び同第５，９８１，６８１号に開示されているシリコーンアミノポリアルキレンオキシドブロックコポリマー；米国特許第６，２０７，７８２号に開示されている親水性シリコーンエマルション；米国特許第７，４６５，４３９号に開示されている、１つ又は２つ以上の架橋した熊手又は櫛型シリコーンコポリマーセグメントから構成されるポリマーが挙げられる。本明細書にて有用な更なる変性シリコーン又はシリコーンコポリマーは、米国特許出願第２００７／０２８６８３７（Ａ１）号及び同第２００５／００４８５４９（Ａ１）号に記載されている。
【００８５】
上述のシリコーン系四級アンモニウム化合物は、米国特許第７，０４１，７６７号及び同第７，２１７，７７７号並びに米国特許出願第２００７／００４１９２９（Ａ１）号に記載されているシリコーンポリマーと混ぜ合わせてもよい。
【００８６】
シリコーンは、アミンＡＢｎシリコーン及び第四級ＡＢｎシリコーンを含み得る。このようなシリコーンは、一般に、ジアミンとエポキシドとの反応によって生成される。これらは、例えば、米国特許第６，９０３，０６１（Ｂ２）号、同第５，９８１，６８１号、同第５，８０７，９５６号、同第６，９０３，０６１号及び同第７，２７３，８３７号に記載されている。これらは、商標名Ｍａｇｎａｓｏｆｔ（登録商標）Ｐｒｉｍｅ、Ｍａｇｎａｓｏｆｔ（登録商標）ＪＳＳ、Ｓｉｌｓｏｆｔ（登録商標）Ａ−８５８（全てＭｏｍｅｎｔｉｖｅ  Ｓｉｌｉｃｏｎｅｓ製）として市販されている。
【００８７】
アミンＡＢｎシリコーン及び／又は第四級ＡＢｎシリコーンを含むシリコーンは、以下の式（ＩＩＩ）の構造を有し得る。
Ｄｚ−（Ｅ−Ｂ）ｘ−Ａ−（Ｂ−Ｅ）ｘ−Ｄｚ  式（ＩＩＩ）
式中、
各添え字ｘは、独立して、１〜２０、１〜１２、１〜８、又は２〜６の整数であり、
各ｚは、独立して、０又は１であり、
Ａは、以下の構造を有し、
【００８８】
【化１４】
2019049000.tif 000016
式中、
各Ｒ１は、独立して、Ｈ、−ＯＨ若しくはＣ１〜Ｃ２２アルキル基、一態様では、Ｈ、−ＯＨ若しくはＣ１〜Ｃ１２アルキル基、Ｈ、−ＯＨ若しくはＣ１〜Ｃ２アルキル基又は−ＣＨ３であり、
各Ｒ２は、独立して、二価のＣ１〜Ｃ２２アルキレンラジカル、二価のＣ２〜Ｃ１２アルキレンラジカル、二価の直鎖Ｃ２〜Ｃ８アルキレンラジカル、又は二価の直鎖Ｃ３〜Ｃ４アルキレンラジカルから選択され、
添え字ｎは、１〜約５，０００、約１０〜約１，０００、約２５〜約７００、約１００〜約５００、又は約４５０〜約５００の整数であり、
各Ｂは、独立して、以下の部分から選択され：
【００８９】
【化１５】
2019049000.tif 000017
（式中、各構造に関して、Ｙは、Ｏ、Ｐ、Ｓ、Ｎ及びこれらの組み合わせからなる群から選択される１つ又は２つ以上のヘテロ原子が介在していてもよい二価のＣ２〜Ｃ２２アルキレンラジカル又は二価のＣ８〜Ｃ２２アリールアルキレンラジカルであり、一態様では、Ｏ、Ｐ、Ｓ、Ｎ及びこれらの組み合わせからなる群から選択される１つ又は２つ以上のヘテロ原子が介在していてもよい二価のＣ２〜Ｃ８アルキレンラジカル又は二価のＣ８〜Ｃ１６アリールアルキレンラジカルであり、一態様では、Ｏ、Ｎ及びこれらの組み合わせからなる群から選択される１つ又は２つ以上のヘテロ原子が介在していてもよい二価のＣ２〜Ｃ６アルキレンラジカル又は二価のＣ８〜Ｃ１２アリールアルキレンラジカルである）、であり、
各Ｅは、独立して、以下の部分から選択され：
【００９０】
【化１６】
2019049000.tif 000018
式中、
各Ｒ５及び各Ｑは、独立して、Ｏ、Ｐ、Ｓ、Ｎ及びこれらの組み合わせからなる群から選択される１つ又は２つ以上のヘテロ原子が介在していてもよい二価のＣ１〜Ｃ１２直鎖又は分岐鎖の脂肪族炭化水素ラジカル、一態様では、Ｏ、Ｐ、Ｓ、Ｎ及びこれらの組み合わせからなる群から選択される１つ又は２つ以上のヘテロ原子が介在していてもよい二価のＣ１〜Ｃ８直鎖又は分岐鎖の脂肪族炭化水素ラジカル、一態様では、Ｏ、Ｎ及びこれらの組み合わせからなる群から選択される１つ又は２つ以上のヘテロ原子が介在していてもよい二価のＣ１〜Ｃ３直鎖又は分岐鎖の脂肪族炭化水素ラジカルから選択され、
各Ｒ６及びＲ７は、独立して、Ｈ、Ｃ１〜Ｃ２０アルキル、Ｃ１〜Ｃ２０置換アルキル、Ｃ６〜Ｃ２０アリール及びＣ６〜Ｃ２０置換アリール、一態様では、Ｈ、Ｃ１〜Ｃ１２アルキル、Ｃ１〜Ｃ１２置換アルキル、Ｃ６〜Ｃ１２アリール、及びＣ６〜Ｃ１２置換アリール、Ｈ、一態様では、Ｃ１〜Ｃ３アルキル、Ｃ１〜Ｃ３置換アルキル、Ｃ６アリール、及びＣ６置換アリール又はＨから選択されるが、ただし、各窒素原子上の少なくとも１つのＲ６は、Ｈであり、
Ｅが、
【００９１】
【化１７】
2019049000.tif 000019
から選択され、
ｚが１である場合、各Ｄは、Ｈ、−ＣＨ３、又はＲ６から選択され、Ｅが
【００９２】
【化１８】
2019049000.tif 000020
である場合、ｚは０であり、Ｂは
【００９３】
【化１９】
2019049000.tif 000021
である。
【００９４】
シリコーンの試料を分析すると、かかる試料の指数が、平均では上式（Ｉ）〜（ＩＩＩ）に対して整数とならないことがあるが、こうした平均指数値は、上式（Ｉ）〜（ＩＩＩ）の指数の範囲内であることは当業者には認識される。
【００９５】
シリコーンエマルション
シリコーンは、エマルションとして又は更にナノエマルションとして、組成物に添加してもよいし、組成物中に存在してもよい。シリコーンエマルションの調製は、当業者には周知であり、例えば米国特許第７，６８３，１１９号及び米国特許出願第２００７／０２０３２６３（Ａ１）号を参照されたい。
【００９６】
シリコーンエマルションは、平均粒径が約１０ｎｍ〜約１０００ｎｍ、約２０ｎｍ〜約８００ｎｍ、約４０ｎｍ〜約５００ｎｍ、約７５ｎｍ〜約２５０ｎｍ、又は約１００ｎｍ〜約１５０ｎｍであることを特徴とし得る。エマルションの粒径は、Ｈｏｒｉｂａのレーザ散乱式粒子径分布分析装置モデルＬＡ−９３０（Ｈｏｒｉｂａ  Ｉｎｓｔｒｕｍｅｎｔｓ，Ｉｎｃ．）を製造者の説明書に従って用いて、レーザ光散乱技術によって測定される。
【００９７】
本開示のシリコーンエマルションは、上述した種類のシリコーンポリマーのいずれかを含み得る。エマルションを含み得るシリコーンの好適な例には、本明細書に記載したものなどのアミノシリコーンが挙げられる。
【００９８】
本開示のシリコーン含有エマルションは、エマルションの重量に対して、約１％〜約６０％、約５％〜約４０％、又は約１０％〜約３０％のシリコーン化合物を含み得る。
【００９９】
シリコーンエマルションは、１種類又は２種類以上の溶媒を含み得る。本開示のシリコーンエマルションは、シリコーンの重量に対して、約０．１％〜約２０％、〜約１２％又は〜約５％の１種類又は２種類以上の溶媒を含み得るが、ただし、このシリコーンエマルションは、溶媒と界面活性剤を合わせると、シリコーンの重量に対して、約５０％未満、約４５％未満、約４０％未満、約３５％未満、約３２％未満が含まれ得る。シリコーンエマルションは、シリコーンの重量に対して、約１％〜約５％又は約２％〜約５％の１種類又は２種類以上の溶媒を含み得る。
【０１００】
溶媒は、モノアルコール、ポリアルコール、モノアルコールのエーテル、ポリアルコールのエーテル又はこれらの混合物から選択することができる。典型的には、溶媒は、約６〜約１４の範囲の親水性−親油性バランス（ＨＬＢ）を有する。より典型的には、溶媒のＨＬＢは、約８〜約１２の範囲であり、最も典型的には約１１である。１種類の溶媒を単独で使用してもよく、２種類又は３種類以上の溶媒を組み合わせて使用してもよい。溶媒は、グリコールエーテル、アルキルエーテル、アルコール、アルデヒド、ケトン、エステル又はこれらの混合物を含み得る。溶媒は、４〜１２個の炭素原子を有するアルキル基を含むモノエチレングリコールモノアルキルエーテル、４〜１２個の炭素原子を有するアルキル基を含むジエチレングリコールモノアルキルエーテル又はこれらの混合物から選択され得る。
【０１０１】
本開示のシリコーンエマルションは、シリコーンの重量に対して、約１％〜約４０％、〜約３０％、〜約２５％又は〜約２０％の１種類又は２種類以上の界面活性剤を含み得るが、ただし、界面活性剤と溶媒を足し合わせた重量は、シリコーンの重量に対して、約５０％未満、約４５％未満、約４０％未満、約３５％未満、約３２％未満である。シリコーンエマルションは、シリコーンの重量に対して、約５％〜約２０％又は約１０％〜約２０％の１種類又は２種類以上の界面活性剤を含み得る。界面活性剤は、アニオン性界面活性剤、非イオン性界面活性剤、カチオン性界面活性剤、双極性イオン界面活性剤、両性界面活性剤、両性電解質界面活性剤又はこれらの混合物から選択することができるが、好ましくは非イオン性界面活性剤である。界面活性剤、特に非イオン性界面活性剤は、シリコーン流体化合物及び溶媒の水中での均一な分散を促進すると考えられている。
【０１０２】
本明細書において有用な好適な非イオン性界面活性剤は、任意の従来の非イオン性界面活性剤を含むことができる。典型的には、使用される非イオン性界面活性剤の総ＨＬＢ（親水性親油性バランス）は、約８〜１６の範囲、より典型的には１０〜１５の範囲である。好適な非イオン性界面活性剤は、ポリオキシアルキレンアルキルエーテル、ポリオキシアルキレンアルキルフェノールエーテル、アルキルポリグルコシド、ポリビニルアルコール及びグルコースアミド界面活性剤から選択することができる。特に好ましいものは、二級アルキルポリオキシアルキレンアルキルエーテルである。好適な非イオン性界面活性剤の例としては、Ｃ１１〜１５二級アルキルエトキシレート、例えば、Ｄｏｗ  Ｃｈｅｍｉｃａｌ  Ｃｏｍｐａｎｙ（Ｍｉｄｌａｎｄ  Ｍｉｃｈｉｇａｎ）から商標名Ｔｅｒｇｉｔｏｌ  １５−Ｓ−５、Ｔｅｒｇｉｔｏｌ  １５−Ｓ−１２で販売されているもの、又はＢＡＳＦ，ＡＧ（Ｌｕｄｗｉｇｓｃｈａｅｆｅｎ，Ｇｅｒｍａｎｙ）から商標名Ｌｕｔｅｎｓｏｌ  ＸＬ−１００及びＬｕｔｅｎｓｏｌ  ＸＬ−５０で販売されているものが挙げられる。他の好ましい非イオン性界面活性剤としては、Ｃ１２〜Ｃ１８アルキルエトキシレート、例えばＳｈｅｌｌ製のＮＥＯＤＯＬ（登録商標）非イオン性界面活性剤、例えば、ＮＥＯＤＯＬ（登録商標）２３−５及びＮＥＯＤＯＬ（登録商標）２６−９が挙げられる。分岐状ポリオキシアルキレンアルキルエーテルの例としては、アルキル鎖上に１つ又は２つ以上の分岐を有するものが挙げられ、例えば、Ｄｏｗ  Ｃｈｅｍｉｃａｌｓ（Ｍｉｄｌａｎｄ，ＭＩ）から商標名Ｔｅｒｇｉｔｏｌ  ＴＭＮ−６及びＴｅｒｇｉｏｔｏｌ  ＴＭＮ−３として入手可能なものなどである。他の好ましい界面活性剤は、米国特許第７，６８３，１１９号に列挙されている。
【０１０３】
本開示のシリコーンエマルションは、約０．０１％〜約２％、約０．１％〜約１．５％、約０．２％〜約１％、又は約０．５％〜約０．７５％のプロトン化剤を含み得る。プロトン化剤は、概して、一塩基酸又は多塩基酸の、水溶性又は水不溶性、有機酸又は無機酸である。好適なプロトン化剤には、例えば、ギ酸、酢酸、プロピオン酸、マロン酸、クエン酸、塩酸、硫酸、リン酸、硝酸又はこれらの混合物が挙げられるが、好ましくは酢酸である。概して、酸は、酸性水溶液の形態で添加される。プロトン化剤は、通常、エマルションのｐＨを約３．５〜約７．０にするのに必要な量で添加される。
【０１０４】
界面活性剤系
本開示の組成物は、界面活性剤系を含む。界面活性剤系は、洗浄効果をもたらすことが知られている。しかしながら、特定の界面活性剤系を慎重に選択すると、特定の沈着ポリマーとシリコーンと組み合わせて使用したとき、感触及び／又は付着の効果も得ることができることが判明した。
【０１０５】
通常、本開示の洗剤組成物は、所望の洗浄特性をもたらすのに十分な量の界面活性剤系を含む。一部の実施形態では、洗剤組成物は、組成物の重量に対して、約１％〜約７０％の界面活性剤系を含む。他の実施形態では、洗浄組成物は、組成物の重量に対して、約２％〜約６０％の界面活性剤系を含む。更なる実施形態では、洗浄組成物は、組成物の重量に対して、約５％〜約３０％の界面活性剤系を含む。一部の実施形態では、洗浄組成物は、組成物の重量に対して、約２０％〜約６０％、又は約３５％〜約５０％の界面活性剤系を含む。
【０１０６】
界面活性剤系は、アニオン性界面活性剤、非イオン性界面活性剤、カチオン性界面活性剤、双極性イオン界面活性剤、両性界面活性剤、両性電解質界面活性剤、及びその混合物から選択される洗浄性界面活性剤を含んでもよい。当業者であれば、洗浄性界面活性剤は、汚れた布地に洗浄、染み除去、又は洗濯効果をもたらす、任意の界面活性剤又は界面活性剤混合物を包含することを理解するであろう。本明細書で使用するとき、脂肪酸類及びこれらの塩類は、界面活性剤系の一部であると理解される。
【０１０７】
アニオン性界面活性剤／非イオン性界面活性剤の組み合わせ
界面活性剤系は、通常、アニオン性界面活性剤と非イオン性界面活性剤とをある重量比で含む。アニオン性界面活性剤と非イオン性界面活性剤の重量比を慎重に選択することは、所望の水準の感触及び洗浄の効果をもたらす本開示の組成物に重要である。
【０１０８】
一部の態様では、アニオン性界面活性剤と非イオン性界面活性剤との重量比は、約１．１：１〜約４：１、又は約１．１：１〜約２．５：１、又は約１．５：１〜約２．５：１、又は約１．８：１〜約２．２：１、又は約２：１である。アニオン性界面活性剤及び非イオン性界面活性剤について、以下により詳細に記載する。
【０１０９】
アニオン性界面活性剤
界面活性剤系は、アニオン性界面活性剤を含む。一部の例では、洗浄組成物の界面活性剤系は、界面活性剤系の重量に対して、約１％〜約７０％の１種類又は２種類以上のアニオン性界面活性剤を含んでもよい。他の例では、洗浄組成物の界面活性剤系は、界面活性剤系の重量に対して、約２％〜約６０％の１種類又は２種類以上のアニオン性界面活性剤を含んでもよい。更なる例では、洗浄組成物の界面活性剤系は、界面活性剤系の重量に対して、約５％〜約３０％の１種類又は２種類以上のアニオン性界面活性剤を含んでもよい。好適なアニオン性界面活性剤の具体的な非限定例には、任意の従来のアニオン性界面活性剤が挙げられる。これには、硫酸系洗浄性界面活性剤、例えば、アルコキシル化及び／若しくは非アルコキシル化アルキルサルフェート物質、並びに／又はスルホン酸系洗浄性界面活性剤、例えば、アルキルベンゼンスルホン酸塩を挙げることができる。いくつかの態様では、界面活性剤系のアニオン性界面活性剤は、スルホン酸系洗浄性界面活性剤及び硫酸系洗浄性界面活性剤、好ましくは直鎖アルキルベンゼンスルホン酸塩（ＬＡＳ）及びアルキルエトキシル化サルフェート（ＡＥＳ）をある重量比で含む。一部の態様では、スルホン酸系洗浄性界面活性剤（例えばＬＡＳ）の硫酸系洗浄性界面活性剤（例えばＡＥＳ）に対する重量比は、約１：９〜約９：１、又は約１：６〜約６：１、又は約１：４〜約４：１、又は約１：２〜約２：１、又は約０．５：１〜約２：１、又は約０．５：１〜約１．５：１、又は約１：１である。一部の態様では、スルホン酸系洗浄性界面活性剤（例えばＬＡＳ）の硫酸系洗浄性界面活性剤（例えばＡＥＳ）に対する重量比は、約１：９、又は約１：６、又は約１：４、又は約１：２〜約１：１である。一部の態様では、ＬＡＳの濃度と比較してＡＥＳの濃度を上げると、シリコーン沈着の改善が促進される。
【０１１０】
アルコキシル化アルキルサルフェート物質には、アルキルエーテルサルフェート又はアルキルポリエトキシレートサルフェートとしても知られるエトキシル化アルキルサルフェート界面活性剤を含む。エトキシル化アルキルサルフェートの例としては、水溶性塩、特にその分子構造中に、約８〜約３０個の炭素原子を含有するアルキル基並びにスルホン酸及びその塩を有する有機イオウ反応生成物のアルカリ金属塩、アンモニウム塩及びアルキロールアンモニウム塩が挙げられる。用語「アルキル」には、アシル基のアルキル部分が含まれる。一部の例では、アルキル基は、約１５個の炭素原子〜約３０個の炭素原子を含有する。他の例では、アルキルエーテルサルフェート界面活性剤は、アルキルエーテルサルフェートの混合物であってもよく、前記混合物は、約１２〜３０個の炭素原子の範囲内である平均（相加平均）炭素鎖長を有し、かつ、一部の例では、約２５個の炭素原子の平均炭素鎖長であり、エチレンオキシド約１モル〜４モルの平均（相加平均）エトキシル化度であり、かつ、一部の例では、エチレンオキシド１．８モルの平均（相加平均）エトキシル化度である。更なる例では、アルキルエーテルサルフェート界面活性剤は、約１０個の炭素原子〜約１８個の炭素原子の炭素鎖長、及びエチレンオキシド約１〜約６モルのエトキシル化度を有し得る。
【０１１１】
非エトキシル化アルキルサルフェートもまた、本開示の洗浄組成物に添加し、アニオン性界面活性剤構成成分として使用してもよい。非アルコキシル化、例えば非エトキシル化アルキルサルフェート界面活性剤の例としては、高級Ｃ８〜Ｃ２０脂肪アルコールのサルフェート化により生成されるものが挙げられる。一部の例では、一級アルキルサルフェート界面活性剤は、一般式：ＲＯＳＯ３−Ｍ＋を有し得、式中、Ｒは、直鎖又は分岐鎖であってもよい、一般に直鎖Ｃ８〜Ｃ２０ヒドロカルビル基であり、Ｍは、水溶性化カチオンである。一部の例では、Ｒは、Ｃ１０〜Ｃ１５アルキルであり、Ｍは、アルカリ金属である。他の例では、Ｒは、Ｃ１２〜Ｃ１４アルキルであり、Ｍは、ナトリウムである。
【０１１２】
他の有用なアニオン性界面活性剤は、アルキル基が約９〜約１５個の炭素原子を直鎖状（線状）又は分岐鎖状の配置で含有するアルキルベンゼンスルホネートのアルカリ金属塩、例えば米国特許第２，２２０，０９９号及び同第２，４７７，３８３号に記載されている種類のものを含むことができる。一部の例では、アルキル基は、直鎖状である。このような直鎖アルキルベンゼンスルホン酸塩は、「ＬＡＳ」として知られている。他の例では、直鎖アルキルベンゼンスルホン酸塩は、アルキル基中の平均炭素原子数が約１１〜１４であり得る。具体的な例では、線状直鎖アルキルベンゼンスルホン酸塩は、アルキル基中の平均炭素原子数が約１１．８個の炭素原子であり得、Ｃ１１．８  ＬＡＳと略すことがある。このような界面活性剤類及びそれらの調製は、例えば、米国特許第２，２２０，０９９号及び同第２，４７７，３８３号に記載されている。
【０１１３】
本明細書で有用な他のアニオン性界面活性剤は、約８〜約２４（いくつかの例では約１２〜１８）個の炭素原子を含有するパラフィンスルホネート及び二級アルカンスルホネート；アルキルグリセリルエーテルスルホネート、特にＣ８〜１８アルコールのエーテル（例えば、タロー及びココヤシ油に由来するもの）の水溶性塩である。アルキルベンゼンスルホネートと上述のパラフィンスルホネート、二級アルカンスルホネート及びアルキルグリセリルエーテルスルホネートとの混合物も有用である。本明細書で有用な、更に好適なアニオン性界面活性剤は、米国特許第４，２８５，８４１号（Ｂａｒｒａｔ  ｅｔ  ａｌ．、１９８１年８月２５日公開）、及び米国特許第３，９１９，６７８号（Ｌａｕｇｈｌｉｎ  ｅｔ  ａｌ．、１９７５年１２月３０日公開）に見出だすことができ、これらの両方は参照により本明細書に組み込まれる。
【０１１４】
脂肪酸
本明細書で有用な他のアニオン性界面活性剤は、脂肪酸類及び／又はそれらの塩類である。したがって、一部の態様では、洗剤組成物は、脂肪酸及び／又はその塩を含む。理論に束縛されるものではないが、本組成物中にて、脂肪酸類及び／又はそれらの塩類は、ビルダーとして作用するか、かつ布地柔軟性に寄与するものと考えられる。しかしながら、脂肪酸は、本組成物中に必要ではなく、脂肪酸を抑えること又は更に完全に脂肪酸を除くことは、加工、費用及び安定性の利点となり得る。
【０１１５】
組成物は、約０．１重量％、約０．５重量％又は約１重量％から、約４０重量％、約３０重量％、約２０重量％、約１０重量％、約８重量％、約５重量％、約４重量％、又は約３．５重量％の脂肪酸又はその塩を含み得る。一部の態様では、洗剤組成物は、脂肪酸類及びそれらの塩類を実質的に含まない（又は０％を含む）。
【０１１６】
好適な脂肪酸及び塩には、式Ｒ１ＣＯＯＭを有するものが挙げられ、式中、Ｒ１は、４〜３０個の炭素原子を有する一級又は二級アルキル基であり、Ｍは、水素カチオン又は別の可溶化カチオンである。酸形態の場合、Ｍは、水素カチオンであり、塩形態の場合、Ｍは、水素でない可溶化カチオンである。酸（すなわち、Ｍが水素カチオンである場合）は好適であるものの、カチオン性ポリマーとの親和力がより大きいことから、通常、塩が好ましい。したがって、脂肪酸又は塩は、好ましくは、脂肪酸又は塩のｐＫａが非水性液体組成物のｐＨを下回るように選択される。一部の態様では、組成物は、好ましくは６〜１０．５、より好ましくは６．５〜９、最も好ましくは７〜８のｐＨを有する。
【０１１７】
Ｒ１で表されるアルキル基は、複数の鎖長の組み合わせを表し得、また、飽和でも不飽和でもよいが、少なくともＲ１基の３分の２が炭素原子８〜１８個の鎖長を有するのが好ましい。好適なアルキル基源の非限定的な例としては、ココヤシ油、タロー、トール油、菜種由来油、オレイン酸、脂肪族アルキルコハク酸、パーム核油及びこれらの混合物に由来する脂肪酸が挙げられる。しかしながら、匂いを最小限に抑えるために、多くの場合、一級飽和カルボン酸の使用が望ましい。
【０１１８】
可溶化カチオンＭ（Ｍが水素カチオンでない場合）は、製品への水溶性を付与する任意のカチオンであってよいが、一価部分が通常好ましい。本開示で使用するのに好適な可溶化カチオンの例には、ナトリウム及びカリウムなどのアルカリ金属（これらは特に好ましい）、モノエタノールアミン、トリエタノールアンモニウム、アンモニウム及びモルホリニウムなどのアミンが挙げられる。脂肪酸を用いる場合、その大部分を中和された塩形態で組成物に組み込まなければならないが、多くの場合、組成物中に、ある量の遊離脂肪酸を残すのが好ましい。これは、特に、組成物の含水量が低くなったとき（例えば２０％未満）、組成物の粘度の維持に役立ち得る。
【０１１９】
分岐界面活性剤
アニオン性界面活性剤は、アニオン性分岐界面活性剤を含み得る。好適なアニオン性分岐界面活性剤は、分岐状硫酸系又は分岐状スルホン酸系界面活性剤、例えば、１つ又は２つ以上のランダムアルキル分岐鎖、例えば、Ｃ１〜４アルキル基（通常はメチル基及び／又はエチル基）を含む、分岐状アルキルサルフェート、分岐状アルキルアルコキシル化サルフェート及び分岐状アルキルベンゼンスルホネートから選択することができる。
【０１２０】
一部の態様では、分岐状洗浄性界面活性剤は、中鎖分岐状洗浄性界面活性剤、通常は中鎖分岐状アニオン性洗浄界面活性剤、例えば、中鎖分岐状アルキルサルフェート及び／又は中鎖分岐状アルキルベンゼンスルホネートである。一部の態様では、洗浄性界面活性剤は、中鎖分岐状アルキルサルフェートである。一部の態様では、中鎖分枝は、Ｃ１〜４アルキル基、通常は、メチル基及び／又はエチル基である。
【０１２１】
一部の態様では、分岐界面活性剤は、下式のより長いアルキル鎖、中鎖分岐状界面活性剤化合物を含む。
Ａｂ−Ｘ−Ｂ
式中、
（ａ）Ａｂは、疎水性のＣ９〜Ｃ２２（この部分の炭素の合計）、通常、約Ｃ１２〜約Ｃ１８の中鎖分岐状アルキル部分であり、（１）８〜２１個の炭素原子の範囲内の、−Ｘ−Ｂ部分に結合した最長直鎖炭素鎖と、（２）この最長直鎖炭素鎖から分枝している１つ又は２つ以上のＣ１〜Ｃ３アルキル部分と、を有し、（３）分枝状アルキル部分の少なくとも１つは、−Ｘ−Ｂ部分に結合している１番の炭素から数えて位置２の炭素から、末端炭素から２個の炭素を引いた位置ω−２炭素（すなわち最長直鎖炭素鎖の末端から３番目の炭素）までの範囲内の位置で最長直鎖炭素鎖の炭素に直接結合し、（４）界面活性剤組成物は、上の式中のＡｂ−Ｘ部分における炭素原子の平均総数が１４．５超〜約１７．５（通常約１５〜約１７）の範囲内であり、
ｂ）Ｂは、サルフェート、スルホネート、アミンオキシド、ポリオキシアルキレン（ポリオキシエチレン及びポリオキシプロピレンなど）、アルコキシル化サルフェート、ポリヒドロキシ部分、リン酸エステル、グリセロールスルホネート、ポリグルコネート、ポリリン酸エステル、ホスホネート、スルホスクシネート、スルホサッカミネート、ポリアルコキシル化カルボキシレート、グルカミド、タウリネート、サルコシネート、グリシネート、イセチオネート、ジアルカノールアミド、モノアルカノールアミド、モノアルカノールアミドサルフェート、ジグリコールアミド、ジグリコールアミドサルフェート、グリセロールエステル、グリセロールエステルサルフェート、グリセロールエーテル、グリセロールエーテルサルフェート、ポリグリセロールエーテル、ポリグリセロールエーテルサルフェート、ソルビタンエステル、ポリアルコキシル化ソルビタンエステル、アンモニオアルカンスルホネート、アミドプロピルベタイン、アルキル化四級化合物、アルキル化／ポリヒドロキシアルキル化オキシプロピル四級化合物、アルキル化／ポリヒドロキシル化四級化合物、イミダゾリン、２−イル−スクシネート、スルホン化アルキルエステル及びスルホン化脂肪酸から選択される親水性部分であり（例えば（Ａｂ−Ｘ）ｚ−Ｂにおいて、２以上の疎水性部分がＢに結合してジメチル四級化合物を与え得ることに留意されたい）、
（ｃ）Ｘは、−ＣＨ２−及び−Ｃ（Ｏ）−から選択される。
【０１２２】
一般に、上記の式において、Ａｂ部分は、いずれの第四級置換炭素原子（すなわち、１つの炭素原子に直接結合している４つの炭素原子）も有さない。得られる界面活性剤は、どの親水性部分（Ｂ）を選択するかに応じて、アニオン性、非イオン性、陽イオン性、双極イオン性、両性、又は両性電解質であってもよい。いくつかの態様では、Ｂはサルフェートであり、得られる界面活性剤はアニオン性である。
【０１２３】
一部の態様では、分枝状界面活性剤は、より長いアルキル鎖の上式の中鎖分岐界面活性剤化合物を含み、式中、Ａｂ部分は、次式を有する分岐状一級アルキル部分であり、
【０１２４】
【化２０】
2019049000.tif 000022
この式の分岐状一級アルキル部分中の炭素原子の総数は（Ｒ、Ｒ１、及びＲ２分岐を含む）、１３〜１９であり、Ｒ、Ｒ１及びＲ２は、それぞれ独立して、水素及びＣ１〜Ｃ３アルキル（通常メチル）から選択され、ただし、Ｒ、Ｒ１及びＲ２は、全てが水素ではなく、ｚが０であるとき、少なくともＲ又はＲ１は、水素ではなく、ｗは、０〜１３の整数であり、ｘは、０〜１３の整数であり、ｙは、０〜１３の整数であり、ｚは、０〜１３の整数であり、ｗ＋ｘ＋ｙ＋ｚは、７〜１３である。
【０１２５】
特定の態様において、分岐界面活性剤は、より長いアルキル鎖の上式の中鎖分岐界面活性剤化合物を含み、式中、Ａｂ部分は、
【０１２６】
【化２１】
2019049000.tif 000023
又はこれらの組み合わせから選択される式を有する分枝状一級アルキル部分であり、式中、ａ、ｂ、ｄ及びｅは、整数であり、ａ＋ｂは、１０〜１６であり、ｄ＋ｅは、８〜１４であり、更に、
ａ＋ｂ＝１０の場合、ａは、２〜９の整数であり、ｂは、１〜８の整数であり、
ａ＋ｂ＝１１の場合、ａは、２〜１０の整数であり、ｂは、１〜９の整数であり、
ａ＋ｂ＝１２の場合、ａは、２〜１１の整数であり、ｂは、１〜１０の整数であり、
ａ＋ｂ＝１３の場合、ａは、２〜１２の整数であり、ｂは、１〜１１の整数であり、
ａ＋ｂ＝１４の場合、ａは、２〜１３の整数であり、ｂは、１〜１２の整数であり、
ａ＋ｂ＝１５の場合、ａは、２〜１４の整数であり、ｂは、１〜１３の整数であり、
ａ＋ｂ＝１６の場合、ａは、２〜１５の整数であり、ｂは、１〜１４の整数であり、
ｄ＋ｅ＝８の場合、ｄは、２〜７の整数であり、ｅは、１〜６の整数であり、
ｄ＋ｅ＝９の場合、ｄは、２〜８の整数であり、ｅは、１〜７の整数であり、
ｄ＋ｅ＝１０の場合、ｄは、２〜９の整数であり、ｅは、１〜８の整数であり、
ｄ＋ｅ＝１１の場合、ｄは、２〜１０の整数であり、ｅは、１〜９の整数であり、
ｄ＋ｅ＝１２の場合、ｄは、２〜１１の整数であり、ｅは、１〜１０の整数であり、
ｄ＋ｅ＝１３の場合、ｄは、２〜１２の整数であり、ｅは、１〜１１の整数であり、
ｄ＋ｅ＝１４の場合、ｄは、２〜１３の整数であり、ｅは、１〜１２の整数である。
【０１２７】
上述の中鎖分岐界面活性剤化合物において、特定の分岐点（例えば、上記式中のＲ、Ｒ１及び／又はＲ２部分の鎖に沿った位置）が、界面活性剤の主鎖に沿った他の分岐点よりも好ましい。以下の式は、モノ−メチル分岐状アルキルＡｂ部分に関して、中鎖分岐範囲（すなわち、分岐点が生じる場所）、好ましい中鎖分岐範囲、及びより好ましい中鎖分岐範囲を示す。
【０１２８】
【化２２】
2019049000.tif 000024
【０１２９】
モノ−メチル置換界面活性剤では、これらの範囲からは、鎖の２つの末端炭素原子及び−Ｘ−Ｂ基に直接隣接した炭素原子が除外される。
【０１３０】
以下の式は、ジメチル置換直鎖アルキルＡｂ部分の中鎖分岐範囲、好ましい中鎖分岐範囲、及びより好ましい中鎖分岐範囲を示す。
【０１３１】
【化２３】
2019049000.tif 000025
【０１３２】
追加の好適な分岐界面活性剤は、米国特許第６００８１８１号、同第６０６０４４３号、同第６０２０３０３号、同第６１５３５７７号、同第６０９３８５６号、同第６０１５７８１号、同第６１３３２２２号、同第６３２６３４８号、同第６４８２７８９号、同第６６７７２８９号、同第６９０３０５９号、同第６６６０７１１号、同第６３３５３１２号、及び国際公開第９９１８９２９号に開示されている。更に他の好適な分岐界面活性剤は、国際公開第９７３８９５６号、同第９７３８９５７号、及び同第０１０２４５１号に記載されているものを含む。
【０１３３】
一部の態様では、分岐状アニオン性界面活性剤は、国際公開第９９／０５２４３号、同第９９／０５２４２号、同第９９／０５２４４号、同第９９／０５０８２号、同第９９／０５０８４号、同第９９／０５２４１号、同第９９／０７６５６号、同第００／２３５４９号及び同第００／２３５４８号に記載されているような分岐変性アルキルベンゼンスルホン酸塩（ＭＬＡＳ）を含む。
【０１３４】
一部の態様では、分岐状アニオン性界面活性剤は、疎水性鎖に沿ってランダムに分布したメチル分岐鎖を含む、Ｃ１２／１３アルコール系界面活性剤、例えば、Ｓａｓｏｌから入手可能なＳａｆｏｌ（登録商標）、Ｍａｒｌｉｐａｌ（登録商標）を含む。
【０１３５】
更に好適な分岐状アニオン性洗浄界面活性剤には、２−アルキル位置で分岐したアルコールに由来する界面活性剤、例えば、商標名Ｉｓａｌｃｈｅｍ（登録商標）１２３、Ｉｓａｌｃｈｅｍ（登録商標）１２５、Ｉｓａｌｃｈｅｍ（登録商標）１４５、Ｉｓａｌｃｈｅｍ（登録商標）１６７（いずれもオキソ法誘導）にて販売されているものなどが挙げられる。オキソ法によるために、分岐は、２−アルキル位置に位置している。これらの２−アルキル分岐状アルコールは、典型的には、Ｃ１１〜Ｃ１４／Ｃ１５の範囲の長さであり、２−アルキル位置で全て分岐する構造異性体が含まれる。これらの分岐アルコール及び界面活性剤は、米国特許出願公開第２０１１００３３４１３号に記載されている。
【０１３６】
他の好適な分岐界面活性剤には、米国特許第６０３７３１３号（Ｐ＆Ｇ）、国際公開第９５２１２３３号（Ｐ＆Ｇ）、米国特許第３４８０５５６号（Ａｔｌａｎｔｉｃ  Ｒｉｃｈｆｉｅｌｄ）、米国特許第６６８３２２４号（Ｃｏｇｎｉｓ）、米国特許出願公開第２００３０２２５３０４（Ａ１）号（Ｋａｏ）、米国特許出願公開第２００４２３６１５８（Ａ１）号（Ｒ＆Ｈ）、米国特許第６８１８７００号（Ａｔｏｆｉｎａ）、米国特許出願公開第２００４１５４６４０号（Ｓｍｉｔｈ  ｅｔ  ａｌ．）、欧州特許第１２８０７４６号（Ｓｈｅｌｌ）、欧州特許第１０２５８３９号（Ｌ’Ｏｒｅａｌ）、米国特許第６７６５１１９号（ＢＡＳＦ）、欧州特許第１０８００８４号（Ｄｏｗ）、米国特許第６７２３８６７号（Ｃｏｇｎｉｓ）、欧州特許第１４０１７９２（Ａ１）号（Ｓｈｅｌｌ）、欧州特許第１４０１７９７（Ａ２）号（Ｄｅｇｕｓｓａ  ＡＧ）、米国特許出願公開第２００４０４８７６６号（Ｒａｔｈｓ  ｅｔ  ａｌ．）、米国特許第６５９６６７５号（Ｌ’Ｏｒｅａｌ）、欧州特許第１１３６４７１号（Ｋａｏ）、欧州特許第９６１７６５号（Ａｌｂｅｍａｒｌｅ）、米国特許第６５８０００９号（ＢＡＳＦ）、米国特許出願公開第２００３１０５３５２号（Ｄａｄｏ  ｅｔ  ａｌ．）、米国特許第６５７３３４５号（Ｃｒｙｏｖａｃ）、独国特許第１０１５５５２０号（ＢＡＳＦ）、米国特許第６５３４６９１号（ｄｕ  Ｐｏｎｔ）、米国特許第６４０７２７９号（ＥｘｘｏｎＭｏｂｉｌ）、米国特許第５８３１１３４号（Ｐｅｒｏｘｉｄ−Ｃｈｅｍｉｅ）、米国特許第５８１１６１７号（Ａｍｏｃｏ）、米国特許第５４６３１４３号（Ｓｈｅｌｌ）、米国特許第５３０４６７５号（Ｍｏｂｉｌ）、米国特許第５２２７５４４号（ＢＡＳＦ）、米国特許第５４４６２１３（Ａ）号（ＭＩＴＳＵＢＩＳＨＩ  ＫＡＳＥＩ  ＣＯＲＰＯＲＡＴＩＯＮ）、欧州特許第１２３０２００（Ａ２）号（ＢＡＳＦ）、欧州特許第１１５９２３７（Ｂ１）号（ＢＡＳＦ）、米国特許出願公開第２００４０００６２５０（Ａ１）号（ＮＯＮＥ）、欧州特許第１２３０２００（Ｂ１）号（ＢＡＳＦ）、国際公開第２００４０１４８２６（Ａ１）号（ＳＨＥＬＬ）、米国特許第６７０３５３５（Ｂ２）号（ＣＨＥＶＲＯＮ）、欧州特許第１１４０７４１（Ｂ１）号（ＢＡＳＦ）、国際公開第２００３０９５４０２（Ａ１）号（ＯＸＥＮＯ）、米国特許第６７６５１０６（Ｂ２）号（ＳＨＥＬＬ）、米国特許出願公開第２００４０１６７３５５（Ａ１）号（ＮＯＮＥ）、米国特許第６７０００２７（Ｂ１）号（ＣＨＥＶＲＯＮ）、米国特許出願公開第２００４０２４２９４６（Ａ１）号（ＮＯＮＥ）、国際公開第２００５０３７７５１（Ａ２）（ＳＨＥＬＬ）、国際公開第２００５０３７７５２（Ａ１）号（ＳＨＥＬＬ）、米国特許第６９０６２３０（Ｂ１）号（ＢＡＳＦ）、国際公開第２００５０３７７４７（Ａ２）号（ＳＨＥＬＬ）ＯＩＬ  ＣＯＭＰＡＮＹに記載のものが挙げられる。
【０１３７】
更なる好適な分岐状アニオン性洗浄界面活性剤には、米国特許出願公開第２０１０／０１３７６４９号に記載されているようなイソプレノイド系多分岐状洗剤アルコールの界面活性剤誘導体が挙げられる。またイソプレノイド系界面活性剤及びイソプレノイド誘導体は、本の名称「Ｃｏｍｐｒｅｈｅｎｓｉｖｅ  Ｎａｔｕｒａｌ  Ｐｒｏｄｕｃｔｓ  Ｃｈｅｍｉｓｔｒｙ：Ｉｓｏｐｒｅｎｏｉｄｓ  Ｉｎｃｌｕｄｉｎｇ  Ｃａｒｏｔｅｎｏｉｄｓ  ａｎｄ  Ｓｔｅｒｏｉｄｓ（第２巻）」、Ｂａｒｔｏｎ及びＮａｋａｎｉｓｈｉ、（著作権）１９９９、Ｅｌｓｅｖｉｅｒ  Ｓｃｉｅｎｃｅ  Ｌｔｄに記載され、構造Ｅに含まれ、参照により本明細書に組み込まれる。
【０１３８】
更に好適な分岐状アニオン性洗浄界面活性剤には、アンテイソ及びイソアルコールに由来するものが挙げられる。そのような界面活性剤は、国際公開第２０１２００９５２５号に開示されている。
【０１３９】
更なる好適な分岐状アニオン性洗浄界面活性剤には、米国特許出願第２０１１／０１７１１５５（Ａ１）号及び同第２０１１／０１６６３７０（Ａ１）号に記載のものが挙げられる。
【０１４０】
好適な分岐状アニオン性界面活性剤には、Ｇｕｅｒｂｅｔアルコール系界面活性剤も含まれる。Ｇｕｅｒｂｅｔアルコールは、２つの線状炭素鎖を有し、分岐点が必ず２番目の炭素位置にある分岐一級単官能性アルコールである。Ｇｕｅｒｂｅｔアルコールは、化学的に記述すると、２−アルキル−１−アルカノールである。Ｇｕｅｒｂｅｔアルコールは、一般に、１２個の炭素原子〜３６個の炭素原子を有する。Ｇｕｅｒｂｅｔアルコールは、次式：（Ｒ１）（Ｒ２）ＣＨＣＨ２ＯＨにより表すことができ、式中、Ｒ１は、直鎖アルキル基であり、Ｒ２は、直鎖アルキル基であり、Ｒ１及びＲ２中の炭素原子の合計は、１０〜３４であり、Ｒ１及びＲ２の両方が存在する。Ｇｕｅｒｂｅｔアルコールは、ＳａｓｏｌからＩｓｏｆｏｌ（登録商標）アルコールとして販売され、ＣｏｇｎｉｓからＧｕｅｒｂｅｔｏｌとして販売されている。
【０１４１】
本明細書に開示される界面活性剤系は、上述の分岐界面活性剤の任意のものを独立に含んでもよく、あるいは、界面活性剤系は、上述の分岐界面活性剤の混合物を含んでもよい。更に、上述の分岐界面活性剤それぞれが、バイオベース含有成分を含み得る。いくつかの態様において、分岐界面活性剤は、少なくとも約５０％、少なくとも約６０％、少なくとも約７０％、少なくとも約８０％、少なくとも約９０％、少なくとも約９５％、少なくとも約９７％、又は約１００％のバイオベース含有成分を有する。
【０１４２】
非イオン性界面活性剤
洗浄組成物の界面活性剤系は、典型的に、非イオン性界面活性剤を含む。一部の例では、界面活性剤系は、界面活性剤系の重量に対して、最大約５０％の１種類又は２種類以上の非イオン性界面活性剤を、例えば、共界面活性剤として含む。一部の態様では、界面活性剤系は、界面活性剤系の重量に対して、約５％〜約５０％、約１０％〜約５０％、又は約２０％〜約５０％の非イオン性界面活性剤を含む。
【０１４３】
本明細書で有用な、好適な非イオン性界面活性剤は、任意の従来の非イオン性界面活性剤を含んでもよい。これらには、例えば、アルコキシル化脂肪族アルコール、及びアミンオキシド界面活性剤が含まれ得る。いくつかの例では、クリーニング組成物は、エトキシル化非イオン性界面活性剤を含有してもよい。これらの材料は、米国特許第４，２８５，８４１号（Ｂａｒｒａｔ  ｅｔ  ａｌ．、１９８１年８月２５日公開）に記載されている。非イオン性界面活性剤は、式Ｒ（ＯＣ２Ｈ４）ｎＯＨのエトキシル化アルコール及びエトキシル化アルキルフェノールから選択することができ、式中、Ｒは、約８個〜約１５個の炭素原子を含有する脂肪族炭化水素ラジカル及びアルキル基が約８個〜約１２個の炭素原子を含有するアルキルフェニルラジカルからなる群から選択され、ｎの平均値は、約５〜約１５である。これらの界面活性剤は、米国特許第４，２８４，５３２号（Ｌｅｉｋｈｉｍ  ｅｔ  ａｌ．、１９８１年８月１８日公開）中でより充分に説明される。一例では、非イオン性界面活性剤は、平均約２４個の炭素原子をアルコール内に有し、かつ平均エトキシル化度がアルコール１モル当たり約９モルのエチレンオキシドであるエトキシ化アルコールから選択される。
【０１４４】
本明細書で有用な非イオン性界面活性剤の他の非限定的な例としては、Ｃ１２〜Ｃ１８アルキルエトキシレート、例えばＳｈｅｌｌのＮＥＯＤＯＬ（登録商標）非イオン性界面活性剤；Ｃ６〜Ｃ１２アルキルフェノールアルコキシレート（ここで、アルコキシレート単位はエチレンオキシ単位とプロピレンオキシ単位が組み合わさったものである）；例えばＢＡＳＦのＰｌｕｒｏｎｉｃ（登録商標）などのエチレンオキシド／プロピレンオキシドブロックポリマーとのＣ１２〜Ｃ１８アルコール縮合物及びＣ６〜Ｃ１２アルキルフェノール縮合物；米国特許第６，１５０，３２２号において議論されるようなＣ１４〜Ｃ２２中鎖分岐状アルコール（ＢＡ）；米国特許第６，１５３，５７７号、同第６，０２０，３０３号及び同第６，０９３，８５６号において議論されているようなＣ１４〜Ｃ２２中鎖分岐状アルキルアルコキシレートであるＢＡＥｘ（式中ｘは１〜３０）；米国特許第４，５６５，６４７号（Ｌｌｅｎａｄｏ、１９８６年１月２６日公開）で議論されているようなアルキル多糖；特に、米国特許第４，４８３，７８０号及び同第４，４８３，７７９号で議論されているようなアルキルポリグリコシド；米国特許第５，３３２，５２８号、国際公開第９２／０６１６２号、同第９３／１９１４６号、同第９３／１９０３８号、及び同第９４／０９０９９号で議論されているようなポリヒドロキシ脂肪酸アミド；並びに米国特許第６，４８２，９９４号及び国際公開第０１／４２４０８号において議論されているようなエーテル末端保護ポリ（オキシアルキル化）アルコール界面活性剤が挙げられる。
【０１４５】
カチオン性界面活性剤
界面活性剤系は、カチオン性界面活性剤を含んでもよい。一部の態様では、界面活性剤系は、界面活性剤系の重量に対して、約０％〜約７％、約０．１％〜約５％、又は約１％〜約４％のカチオン性界面活性剤を、例えば補助界面活性剤として含む。カチオン性の非限定的な例には、最大２６個の炭素原子を有し得る四級アンモニウム界面活性剤が挙げられ、米国特許第６，１３６，７６９号において議論されているようなアルコキシレート四級アンモニウム（ＡＱＡ）界面活性剤、第６，００４，９２２号で議論されているようなジメチルヒドロキシエチル四級アンモニウム；ジメチルヒドロキシエチルラウリルアンモニウムクロリド；国際公開第９８／３５００２号、同第９８／３５００３号、同第９８／３５００４号、同第９８／３５００５号、及び同第９８／３５００６号で議論されるようなポリアミンカチオン性界面活性剤；米国特許第４，２２８，０４２号、同第４，２３９，６６０号、同第４，２６０，５２９号、及び米国特許第６，０２２，８４４号で議論されるようなカチオン性エステル界面活性剤；米国特許第６，２２１，８２５号及び国際公開第００／４７７０８号で議論されているようなアミノ界面活性剤、特にアミドプロピルジメチルアミン（ＡＰＡ）が挙げられる。
【０１４６】
一部の態様では、本開示の洗浄組成物は、カチオン性界面活性剤及び／又はｐＨ７を下回る若しくはｐＨ６を下回るカチオン性の界面活性剤を実質的に含まない。
【０１４７】
双極性イオン界面活性剤
一部の態様では、界面活性剤系は、双極性イオン界面活性剤を含む。双極性イオン界面活性剤の例としては、二級及び三級アミン誘導体、複素環式二級及び三級アミン誘導体、又は四級アンモニウム化合物、四級ホスホニウム化合物若しくは三級スルホニウム化合物の誘導体が挙げられる。双極性イオン界面活性剤の例については、米国特許第３，９２９，６７８号の第１９段３８行目〜第２２段４８行目を参照されたいが、アルキルジメチルベタイン及びココジメチルアミドプロピルベタイン、Ｃ８〜Ｃ１８（例えば、Ｃ１２〜Ｃ１８）アミンオキシド並びにスルホベタイン及びヒドロキシベタイン、例えば、Ｎ−アルキル−Ｎ，Ｎ−ジメチルアミノ−１−プロパンスルホネート（アルキル基はＣ８〜Ｃ１８、特定の実施形態では、Ｃ１０〜Ｃ１４であり得る）を含むベタインが挙げられる。
【０１４８】
両性電解質界面活性剤
一部の態様では、界面活性剤系は、両性電解質界面活性剤を含む。両性電解質界面活性剤の具体的な非限定例としては、二級若しくは三級アミンの脂肪族誘導体、又は複素環式二級及び三級アミンの脂肪族誘導体が挙げられ、ここで、脂肪族ラジカルは、直鎖又は分岐鎖であってもよい。脂肪族置換基のうち１つは、少なくとも約８個の炭素原子、例えば約８個〜約１８個の炭素原子を含有してもよく、少なくとも１つは、水溶化アニオン基、例えば、カルボキシ基、スルホネート基、サルフェート基を含有する。両性電解質界面活性剤の好適な例については、米国特許第３，９２９，６７８号、１９段１８〜３５行を参照のこと。
【０１４９】
両性界面活性剤
一部の態様では、界面活性剤系は、両性界面活性剤を含む。両性界面活性剤類の例としては、二級若しくは三級アミンの脂肪族誘導体、又は複素環式二級及び三級アミンの脂肪族誘導体が挙げられ、ここで、脂肪族ラジカルは、直鎖又は分岐鎖であってもよい。脂肪族置換基の１つは、少なくとも約８個の炭素原子、典型的には約８個〜約１８個の炭素原子を含有し、そして少なくとも１つが、アニオン性水溶化基、例えば、カルボキシ、スルホネート、サルフェートを含有する。この定義の範疇に入る化合物の例は、ナトリウム３−（ドデシルアミノ）プロピオネート、ナトリウム３−（ドデシルアミノ）プロパン−１−スルホネート、ナトリウム２−（ドデシルアミノ）エチルサルフェート、ナトリウム２−（ジメチルアミノ）オクタデカノエート、二ナトリウム３−（Ｎ−カルボキシメチルドデシルアミノ）プロパン１−スルホネート、二ナトリウムオクタデシル−イミノジアセテート、ナトリウム１−カルボキシメチル−２−ウンデシルイミダゾール、及び、ナトリウムＮ，Ｎ−ビス（２−ヒドロキシエチル）−２−スルファト−３−ドデコキシプロピルアミンである。両性界面活性剤の例には、米国特許第３，９２９，６７８号（Ｌａｕｇｈｌｉｎ  ｅｔ  ａｌ．、１９７５年１２月３０日公開）１９段１８〜３５行を参照されたい。いくつかの態様では、界面活性剤系は、両性界面活性剤を実質的に含まない。
【０１５０】
一態様では、界面活性剤系は、アニオン性界面活性剤と、補助界面活性剤として、非イオン性界面活性剤（例えば、Ｃ１２〜Ｃ１８アルキルエトキシレートを含む。別の態様において、界面活性剤系はＣ１０〜Ｃ１５アルキルベンゼンスルホン酸塩（ＬＡＳ）と、補助界面活性剤として、アニオン性界面活性剤（例えば、Ｃ１０〜Ｃ１８アルキルアルコキシサルフェート（ＡＥｘＳ）、ｘは１〜３０である）と、を含み得る。別の態様では、界面活性剤系は、アニオン性界面活性剤と、補助界面活性剤として、カチオン性界面活性剤（例えば、ジメチルヒドロキシエチルラウリルアンモニウムクロリド）を含む。
【０１５１】
洗濯補助剤
本明細書に記載の洗濯洗剤組成物は、外部構造化系、酵素、香料マイクロカプセルなどのマイクロカプセル、汚れ放出ポリマー、色調剤及びこれらの混合物を含めた他の洗濯補助剤を含み得る。
【０１５２】
外部構造化系
洗剤組成物が液体組成物である場合、洗剤組成物は、外部構造化系を含み得る。外部構造化系は、組成物に、例えば、好適な注入粘度、相安定性、及び／又は懸濁性をもたらすような十分な粘度をもたらすために、使用することができる。
【０１５３】
本開示の組成物は、０．０１重量％〜５重量％又は更に０．１重量％〜１重量％の外部構造化系を含み得る。外部構造化系は、
（ｉ）非高分子系結晶質のヒドロキシ官能性構造化剤及び／又は
（ｉｉ）高分子系構造化剤、からなる群から選択されてもよい。
【０１５４】
このような外部構造化系は、組成物の洗浄性界面活性剤の任意の構造化効果とは独立して、すなわちこのような効果とは無関係に、流体洗濯洗剤組成物を安定化させるのに十分な降伏応力又は低剪断粘度を付与することができるようなものであってもよい。これらは、流体洗濯洗剤組成物に、２１℃、２０ｓ−１にて１〜１５００ｃｐｓの高剪断粘度及び５０００ｃｐｓを超える低剪断粘度（２１℃、０．０５ｓ−１にて）を付与することができる。粘度は、直径４０ｍｍ及び間隙サイズ５００μｍの平板の鋼製スピンドルを用いるＴＡ  ｉｎｓｔｒｕｍｅｎｔｓ製のＡＲ  ５５０レオメーターを使用して測定される。２０ｓ−１での高剪断粘度、及び０．５ｓ−１での低剪断粘度は、２１℃で３分間の０．１ｓ−１〜２５ｓ−１の対数剪断速度掃引から得ることができる。
【０１５５】
一実施形態において、組成物は、約０．０１重量％〜約１重量％の非高分子系結晶質ヒドロキシル官能性構造化剤を含み得る。このような非高分子系結晶質ヒドロキシル官能性構造化剤は、結晶化可能なグリセリドを含んでもよく、洗濯洗剤組成物の最終的な１回容量への分散を補助するためにこのグリセリドを前乳化することもできる。好適な結晶化可能なグリセリドとしては、液体洗剤組成物内で結晶化させることができるという条件で、硬化ヒマシ油又は「ＨＣＯ」又はこれらの誘導体が挙げられる。
【０１５６】
洗剤組成物は、約０．０１重量％〜５重量％の天然由来及び／又は合成の高分子系構造化剤を含み得る。好適な天然に誘導された高分子系構造化剤としては、ヒドロキシエチルセルロース、疎水変性ヒドロキシエチルセルロース、カルボキシメチルセルロース、多糖誘導体、及びこれらの混合物が挙げられる。好適な多糖誘導体としては、ペクチン、アルジネート、アラビノガラクタン（アラビアゴム）、カラギーナン、ジェランガム、キサンタンガム、グアーガム及びこれらの混合物が挙げられる。好適な合成高分子系構造化剤としては、ポリカルボキシレート、ポリアクリレート、疎水変性エトキシル化ウレタン、疎水変性非イオン性ポリオール、及びこれらの混合物が挙げられる。一態様では、ポリカルボキシレートポリマーは、ポリアクリレート、ポリメタクリレート、又はこれらの混合物であってもよい。別の態様では、ポリアクリレートは、不飽和モノ−又はジ−カルボン酸と（メタ）アクリル酸のＣ１〜Ｃ３０アルキルエステルとのコポリマーであってもよい。このようなコポリマーは、商品名Ｃａｒｂｏｐｏｌ（登録商標）Ａｑｕａ  ３０でＮｏｖｅｏｎ  ｉｎｃから入手可能である。
【０１５７】
好適な構造化剤及びその製造方法は、米国特許第６，８５５，６８０号及び国際公開第２０１０／０３４７３６号に開示されている。
【０１５８】
酵素
本開示の洗浄組成物は、酵素を含み得る。酵素は、タンパク質由来、炭水化物由来又はトリグリセリド由来の染みを基材から除去すること、を含む様々な目的のため、布地の洗濯の際に遊離する染料移行を防止するため、並びに布地を修復するために、洗浄組成物に含められてもよい。好適な酵素には、任意の好適な起源（例えば、植物、動物、細菌、真菌及び酵母起源など）のプロテアーゼ、アミラーゼ、リパーゼ、カルボヒドラーゼ、セルラーゼ、オキシダーゼ、ペルオキシダーゼ、マンナナーゼ及びこれらの混合物が挙げられる。本明細書に記載の洗浄組成物で使用することができる他の酵素には、ヘミセルラーゼ、グルコアミラーゼ、キシラナーゼ、エステラーゼ、クチナーゼ、ペクチナーゼ、ケラタナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ又はこれらの混合物が挙げられる。酵素の選択は、ｐＨ活性及び／又は安定性の最適条件、熱安定性、及び活性洗剤、ビルダーなどに対する安定性などの要因に影響される。
【０１５９】
いくつかの態様では、リパーゼが含まれてもよい。特定の態様にて使用することができる更なる酵素には、マンナナーゼ、プロテアーゼ及びセルラーゼが挙げられる。マンナナーゼ、プロテアーゼ及びセルラーゼは、Ｎｏｖｏｚｙｍｅｓ（Ｄｅｎｍａｒｋ）からそれぞれＭａｎｎａｗａｙ、Ｓａｖｉｎａｓｅ及びＣｅｌｌｕｃｌｅａｎの商標名で購入することができ、それぞれ１グラム当たり、４ｍｇ、１５．８ｍｇ、及び１５．６ｍｇの活性酵素が得られる。
【０１６０】
いくつかの態様では、組成物は、少なくとも２つ、少なくとも３つ又は少なくとも４つの酵素を含む。いくつかの態様では、組成物は、少なくともアミラーゼ及びプロテアーゼを含む。
【０１６１】
酵素は、通常、「洗浄に有効な量」を提供するのに十分な濃度で洗浄組成物中に組み込まれる。語句「洗浄に有効な量」とは、布地、硬い表面などの汚れた材料に対して、洗浄、染み除去、汚れ除去、増白、脱臭又は洗い立て感の改善効果をもたらすことが可能な任意の量を指す。いくつかの態様では、洗剤組成物は、洗浄組成物の重量に対して、約０．０００１％〜約５％、約０００５％〜約３％、又は約０．００１％〜約２％の活性酵素を含み得る。酵素は、個別の単一構成成分として又は２種類以上の酵素の混合物として添加することができる。
【０１６２】
広範な酵素物質及び酵素物質を合成洗浄組成物に組み込むための手段については、国際公開第９３０７２６３（Ａ）号、国際公開第９３０７２６０（Ａ）号、国際公開第８９０８６９４（Ａ）号、米国特許第３，５５３，１３９号、同第４，１０１，４５７号及び米国特許第４，５０７，２１９号に開示されている。液体洗浄組成物に有用な酵素物質、及び当該組成物への組み込みについては、米国特許第４，２６１，８６８号に開示されている。
【０１６３】
マイクロカプセル及び送達系
いくつかの態様では、本明細書に開示の組成物は、マイクロカプセルを含み得る。マイクロカプセルは、香料原材料、シリコーンオイル、ろう、炭化水素、高級脂肪酸、精油、脂質、皮膚冷却剤、ビタミン、日焼け止め剤、酸化防止剤、グリセリン、触媒、漂白剤粒子、二酸化ケイ素粒子、悪臭軽減剤、臭気抑制物質、キレート化剤、静電気防止剤、柔軟化剤、昆虫類及び蛾類忌避剤、着色剤、酸化防止剤、キレート剤、増粘剤、ドレープ及び形状制御剤、スムージング剤、しわ制御剤、浄化剤、消毒剤、細菌抑制剤、カビ制御剤、白カビ制御剤、抗ウイルス剤、乾燥剤、染み防止剤、汚れ遊離剤、布地リフレッシュ剤及び洗い立て感増強剤、塩素漂白臭気抑制剤、染料固定剤、移染防止剤、色保全剤、蛍光増白剤、色回復／再生剤、退色防止剤、白色度増強剤、抗摩擦剤、耐摩耗剤、布地保全剤、磨耗防止剤、けば立ち防止剤、消泡剤、起泡防止剤、紫外線保護剤、太陽光劣化阻害剤、抗アレルギー剤、酵素、防水加工剤、布地調整剤、防縮剤、伸び防止剤、伸び回復剤、スキンケア剤、グリセリン、及び天然活性物質、抗菌活性物質、制汗活性物質、カチオン性ポリマー、染料、並びにこれらの混合物などの好適な有益剤を含み得る。いくつかの態様では、マイクロカプセルは、以下に記載する香料マイクロカプセルである。
【０１６４】
いくつかの態様では、本明細書に開示の組成物は、香料送達系を含み得る。好適な香料送達系、特定の香料送達系を製造する方法、及び該香料送達系の使用法は、米国特許出願公開第２００７／０２７５８６６（Ａ１）号に開示されている。このような香料送達系は、香料マイクロカプセルであってもよい。香料マイクロカプセルは、香料及びシェルを含むコアを含んでもよく、シェルは、コアを封入する。シェルは、アミノ樹脂コポリマー、アクリル、アクリレート、及びこれらの混合物からなる群から選択される物質を含んでもよい。アミノ樹脂コポリマーは、メラミン−ホルムアルデヒド、尿素−ホルムアルデヒド、架橋メラミンホルムアルデヒド、又はこれらの混合物であってもよい。いくつかの態様では、シェルは、ポリアクリレート、ポリエチレングリコールアクリレート、ポリウレタンアクリレート、エポキシアクリレート、ポリメタクリレート、ポリエチレングリコールメタクリレート、ポリウレタンメタクリレート、エポキシメタクリレート及びこれらの混合物からなる群から選択される物質を含む。香料マイクロカプセルのシェルは、本明細書で開示した組成物で処理された部位における、香料マイクロカプセルの付着及び／又は保持に役立つ、１種類又は２種類以上の材料、例えばポリマーでコーティングされ得る。ポリマーは、多糖類、カチオン変性デンプン、カチオン変性グアー、ポリシロキサン、ポリジアリルジメチルアンモニウムハライド、ポリジアリルジメチルアンモニウムクロリドとビニルピロリドンのコポリマー、アクリルアミド、イミダゾール、イミダゾリニウムハライド、イミダゾリウムハライド、ポリビニルアミン、ポリビニルアミンとＮ−ビニルホルムアミドのコポリマー、及びこれらの混合物からなる群から選択されるカチオン性ポリマーであってもよい。通常、コアは、未精製香油を含む。香料マイクロカプセルは、砕けやすくてもよく、かつ／又は約１０マイクロメートル〜約５００マイクロメートル又は約２０マイクロメートル〜約２００マイクロメートルの平均粒径であってもよい。いくつかの態様では、組成物には、全組成物重量に対して、約０．０１％〜約８０％、又は約０．１％〜約５０％、又は約１．０％〜約２５％、又は約１．０％〜約１０％の香料マイクロカプセルが含まれる。好適なカプセルは、Ａｐｐｌｅｔｏｎ  Ｐａｐｅｒｓ  Ｉｎｃ．、（Ａｐｐｌｅｔｏｎ、Ｗｉｓｃｏｎｓｉｎ  ＵＳＡ）から入手してもよい。
【０１６５】
ホルムアルデヒド捕捉剤は、こうした香料マイクロカプセルの中で用いることも、こうした香料マイクロカプセルと併せて用いることもできる。好適なホルムアルデヒド捕捉剤には、重亜硫酸ナトリウム、尿素、システイン、システアミン、リシン、グリシン、セリン、カルノシン、ヒスチジン、グルタチオン、３，４−ジアミノ安息香酸、アラントイン、グリコウリル、アントラニル酸、アントラニル酸メチル、４−アミノ安息香酸メチル、アセト酢酸エチル、アセトアセトアミド、マロンアミド、アスコルビン酸、１，３−ジヒドロキシアセトン二量体、ビウレット、オキサミド、ベンゾグアナミン、ピログルタミン酸、ピロガロール、没食子酸メチル、没食子酸エチル、没食子酸プロピル、トリエタノールアミン、スクシンアミド、チアベンダゾール、ベンゾトリアゾール、トリアゾール、インドリン、スルファニル酸、オキサミド、ソルビトール、グルコース、セルロース、ポリ（ビニルアルコール）、ポリ（ビニルアミン）、ヘキサンジオール、エチレンジアミン−Ｎ，Ｎ’−ビスアセトアセトアミド、Ｎ−（２−エチルヘキシル）アセトアセトアミド、Ｎ−（３−フェニルプロピル）アセトアセトアミド、リリアール、ヘリオナール、メロナール、トリプラール、５，５−ジメチル−１，３−シクロヘキサンジオン、２，４−ジメチル−３−シクロヘキセンカルボキシアルデヒド、２，２−ジメチル−１，３−ジオキサン−４，６−ジオン、２−ペンタノン、ジブチルアミン、トリエチレンテトラミン、ベンジルアミン、ヒドロキシシトロネロール、シクロヘキサノン、２−ブタノン、ペンタンジオン、デヒドロ酢酸、キトサン又はこれらの混合物を挙げることができる。
【０１６６】
好適なカプセル及び有益剤は、米国特許出願公開第２００８／０１１８５６８（Ａ１）号、同第２０１１／０２６８８０号、同第２０１１／０１１９９９号、同第２０１１／０２６８８０２（Ａ１）号及び同第２０１３０２９６２１１号（それぞれＴｈｅ  Ｐｒｏｃｔｅｒ  ＆  Ｇａｍｂｌｅ  Ｃｏｍｐａｎｙに譲渡）に更に議論されており、これらは参照により本明細書に組み込まれる。
【０１６７】
汚れ放出ポリマー（ＳＲＰ）
本開示の洗剤組成物は、汚れ放出ポリマーを含み得る。いくつかの態様では、洗剤組成物は、以下の構造（Ｉ）、（ＩＩ）又は（ＩＩＩ）のうちの１つによって定義される構造を有する、１種類又は２種類以上の汚れ放出ポリマーを含み得る。
（Ｉ）−［（ＯＣＨＲ１−ＣＨＲ２）ａ−Ｏ−ＯＣ−Ａｒ−ＣＯ−］ｄ
（ＩＩ）−［（ＯＣＨＲ３−ＣＨＲ４）ｂ−Ｏ−ＯＣ−ｓＡｒ−ＣＯ−］ｅ
（ＩＩＩ）−［（ＯＣＨＲ５−ＣＨＲ６）ｃ−ＯＲ７］ｆ
式中、
ａ、ｂ、及びｃは、１〜２００であり、
ｄ、ｅ、及びｆは、１〜５０であり、
Ａｒは、１，４−置換フェニレンであり、
ｓＡｒは、５位がＳＯ３Ｍｅにより置換されている１，３−置換フェニレンであり、
Ｍｅは、Ｌｉ、Ｋ、Ｍｇ／２、Ｃａ／２、Ａｌ／３、アンモニウム、モノ−、ジ−、トリ−若しくはテトラ−アルキルアンモニウム（アルキル基は、Ｃ１〜Ｃ１８アルキル又はＣ２〜Ｃ１０ヒドロキシアルキルである）、又はこれらの混合物であり、
Ｒ１、Ｒ２、Ｒ３、Ｒ４、Ｒ５、及びＲ６は、独立して、Ｈ、又はＣ１〜Ｃ１８ｎ−若しくはイソ−アルキルから選択され、
Ｒ７は、直鎖若しくは分枝鎖Ｃ１〜Ｃ１８アルキル、又は直鎖若しくは分枝鎖Ｃ２〜Ｃ３０アルケニル、又は５〜９個の炭素原子を有するシクロアルキル基、又はＣ８〜Ｃ３０アリール基、又はＣ６〜Ｃ３０アリールアルキル基である。
【０１６８】
好適な汚れ放出ポリマーは、Ｒｅｐｅｌ−ｏ−ｔｅｘポリマー（例えば、Ｒｈｏｄｉａにより供給されているＲｅｐｅｌ−ｏ−ｔｅｘ  ＳＦ、ＳＦ−２及びＳＲＰ６）などのポリエステル汚れ放出ポリマーである。他の好適な汚れ放出ポリマーとしては、Ｔｅｘｃａｒｅポリマー（例えば、Ｃｌａｒｉａｎｔにより供給されているＴｅｘｃａｒｅ  ＳＲＡ１００、ＳＲＡ３００、ＳＲＮ１００、ＳＲＮ１７０、ＳＲＮ２４０、ＳＲＮ３００及びＳＲＮ３２５など）が挙げられる。他の好適な汚れ放出ポリマーは、Ｍａｒｌｏｑｕｅｓｔポリマー（例えば、Ｓａｓｏｌにより供給されているＭａｒｌｏｑｕｅｓｔ  ＳＬなど）である。
【０１６９】
色調剤
組成物は、布地色調剤（時には、色合い剤、青味剤、又は増白剤と称される場合もある）を含んでもよい。典型的には、色調剤は布地に青又は紫の色合いをもたらす。色調剤は単独で又は組み合わせて使用して、特定の色合いを作り出すことができ、かつ／又は異なる種類の布地に色合いをつけることができる。これは、例えば赤と緑−青の染料とを混合して青又は紫の色合いを生じさせることにより提供され得る。色調剤は、アクリジン、アントラキノン（多環式キノンを含む）、アジン、前金属化した（premetallized）アゾを含むアゾ（例えば、モノアゾ、ジアゾ、トリスアゾ、テトラキスアゾ、ポリアゾ）、ベンゾジフラン及びベンゾジフラノン、カロテノイド、クマリン、シアニン、ジアザヘミシアニン、ジフェニルメタン、ホルマザン、ヘミシアニン、インジゴイド、メタン、ナフタルイミド、ナフトキノン、ニトロ及びニトロソ、オキサジン、フタロシアニン、ピラゾール、スチルベン、スチリル、トリアリールメタン、トリフェニルメタン、キサンテン、並びにこれらの混合物を含むが、これらに限定されない任意の既知の染料の化学分類から選択され得る。
【０１７０】
好適な布地色調剤としては、染料、染料−粘土共役体（dye-clay conjugate）、並びに有機及び無機顔料が挙げられる。好適な染料としては、小分子染料及びポリマー染料が挙げられる。好適な小分子染料としては、例えば、青、バイオレット、赤、緑、又は黒に分類され、単独で又は組み合わせで所望の色合いをもたらす、直接染料、塩基性染料、反応染料若しくは加水分解した反応性染料、溶剤染料又は分散染料の色指数（Ｃ．Ｉ．）分類に分類される染料からなる群から選択される小分子染料が挙げられる。別の態様では、好適な小分子染料としては、カラーインデックス（染色業者及びカラーリスト協会（Society of Dyers and Colourists），Ｂｒａｄｆｏｒｄ，ＵＫ）番号が、ダイレクトバイオレット染料９、３５、４８、５１、６６、及び９９など、ダイレクトブルー染料１、７１、８０、及び２７９など、アシッドレッド染料１７、７３、５２、８８、及び１５０など、アシッドバイオレット染料１５、１７、２４、４３、４９、及び５０など、アシッドブルー染料１５、１７、２５、２９、４０、４５、７５、８０、８３、９０、及び１１３など、アシッドブラック染料１など、ベーシックバイオレット染料１、３、４、１０、及び３５など、ベーシックブルー染料３、１６、２２、４７、６６、７５、及び１５９など、欧州特許第１７９４２７５号又は同第１７９４２７６号に記載されるものなどの分散又は溶剤染料、あるいは米国特許第７，２０８，４５９（Ｂ２）号に開示されている染料、並びにこれらの混合物からなる群から選択される小分子染料が挙げられる。別の態様では、好適な小分子染料としては、Ｃ．Ｉ．番号が、アシッドバイオレット１７、ダイレクトブルー７１、ダイレクトバイオレット５１、ダイレクトブルー１、アシッドレッド８８、アシッドレッド１５０、アシッドブルー２９、アシッドブルー１１３又はこれらの混合物からなる群から選択される小分子染料が挙げられる。
【０１７１】
好適なポリマー染料としては、例えばポリマーと色原体とを共重合してポリマーの主鎖にしたものなどの、共有結合した（共役したと呼ばれることもある）色原体を含有するポリマー（染料−ポリマー共役体）、及びこれらの混合物からなる群から選択されるポリマー染料が挙げられる。高分子染料には、国際公開第２０１１／９８３５５号、国際公開第２０１１／４７９８７号、米国特許出願公開第２０１２／０９０１０２号、国際公開第２０１０／１４５８８７号、国際公開第２００６／０５５７８７号及び国際公開第２０１０／１４２５０３号に記載のものが挙げられる。
【０１７２】
別の態様では、好適なポリマー染料としては、Ｌｉｑｕｉｔｉｎｔ（登録商標）（Ｍｉｌｌｉｋｅｎ（Ｓｐａｒｔａｎｂｕｒｇ，Ｓｏｕｔｈ  Ｃａｒｏｌｉｎａ，ＵＳＡ））の名称で販売されている布地直接着色剤、及び少なくとも１つの反応染料と、ヒドロキシル部分、一級アミン部分、二級アミン部分、チオール部分及びこれらの混合物からなる群から選択される部分を含む高分子からなる群から選択される高分子と、から形成される染料−高分子共役体からなる群から選択される高分子染料が挙げられる。更に別の態様では、好適な高分子染料としては、Ｌｉｑｕｉｔｉｎｔ（登録商標）バイオレットＣＴ、Ｍｅｇａｚｙｍｅ（Ｗｉｃｋｌｏｗ，Ｉｒｅｌａｎｄ）から商品名ＡＺＯ−ＣＭ−セルロース、商品コードＳ−ＡＣＭＣで販売されているＣ．Ｉ．リアクティブブルー１９と共役しているＣＭＣなどのリアクティブブルー、リアクティブバイオレット、又はリアクティブレッドの染料に共有結合しているカルボキシメチルセルロース（ＣＭＣ）、アルコキシル化トリフェニール−メタン高分子着色料、アルコキシル化チオフェン高分子着色料、及びこれらの混合物からなる群から選択される高分子染料が挙げられる。
【０１７３】
好ましい色調染料には、国際公開第０８／８７４９７（Ａ１）号、国際公開第２０１１／０１１７９９号及び国際公開第２０１２／０５４８３５号に認められる増白剤が挙げられる。本開示の使用に好ましい色調剤は、これらの参考文献に開示されている好ましい染料であってよく、国際公開第２０１１／０１１７９９号の表５中の実施例１〜４２から選択されるものが挙げられる。他の好ましい染料は、米国特許第８，１３８，２２２号に開示されている。他の好ましい染料は、国際公開第２００９／０６９０７７号に開示されている。
【０１７４】
好適な染料粘土共役体としては、少なくとも１つのカチオン性／塩基性染料及びスメクタイト粘土、並びにこれらの混合物を含む群から選択される染料粘土共役体が挙げられる。別の態様では、好適な染料粘土共役体としては、Ｃ．Ｉ．ベーシックイエロー１〜１０８、Ｃ．Ｉ．ベーシックオレンジ１〜６９、Ｃ．Ｉ．ベーシックレッド１〜１１８、Ｃ．Ｉ．ベーシックバイオレット１〜５１、Ｃ．Ｉ．ベーシックブルー１〜１６４、Ｃ．Ｉ．ベーシックグリーン１〜１４、Ｃ．Ｉ．ベーシックブラウン１〜２３、ＣＩベーシックブラック１〜１１からなる群から選択される１種類のカチオン性／塩基性染料と、モンモリロナイト粘土、ヘクトライト粘土、サポナイト粘土及びこれらの組み合わせからなる群から選択される粘土とからなる群から選択される染料粘土共役体が挙げられる。更に別の態様では、好適な染料粘土共役体としては、モンモリロナイトベーシックブルーＢ７  Ｃ．Ｉ．４２５９５共役体、モンモリロナイトベーシックブルーＢ９  Ｃ．Ｉ．５２０１５共役体、モンモリロナイトベーシックバイオレットＶ３  Ｃ．Ｉ．４２５５５共役体、モンモリロナイトベーシックグリーンＧ１  Ｃ．Ｉ．４２０４０共役体、モンモリロナイトベーシックレッドＲ１  Ｃ．Ｉ．４５１６０共役体、モンモリロナイトＣ．Ｉ．ベーシックブラック２共役体、ヘクトライトベーシックブルーＢ７  Ｃ．Ｉ．４２５９５共役体、ヘクトライトベーシックブルーＢ９  Ｃ．Ｉ．５２０１５共役体、ヘクトライトベーシックバイオレットＶ３  Ｃ．Ｉ．４２５５５共役体、ヘクトライトベーシックグリーンＧ１  Ｃ．Ｉ．４２０４０共役体、ヘクトライトベーシックレッドＲ１  Ｃ．Ｉ．４５１６０共役体、ヘクトライトＣ．Ｉ．ベーシックブラック２共役体、サポナイトベーシックブルーＢ７  Ｃ．Ｉ．４２５９５共役体、サポナイトベーシックブルーＢ９  Ｃ．Ｉ．５２０１５共役体、サポナイトベーシックバイオレットＶ３  Ｃ．Ｉ．４２５５５共役体、サポナイトベーシックグリーンＧ１  Ｃ．Ｉ．４２０４０共役体、サポナイトベーシックレッドＲ１  Ｃ．Ｉ．４５１６０共役体、サポナイトＣ．Ｉ．ベーシックブラック２共役体、及びこれらの混合物からなる群から選択される染料粘土共役体が挙げられる。
【０１７５】
好適な顔料としては、フラバントロン、インダントロン、１〜４個の塩素原子を含む塩素化インダントロン、ピラントロン、ジクロロピラントロン、モノブロモジクロロピラントロン、ジブロモジクロロピラントロン、テトラブロモピラントロン、ペリレン−３，４，９，１０−テトラカルボン酸ジイミド（そのイミド基は、非置換であっても、Ｃ１〜Ｃ３−アルキルラジカル又はフェニルラジカル又は複素環式ラジカルによって置換されていてもよく、そのフェニルラジカル及び複素環式ラジカルは、水溶性を付与しない置換基を更に有してもよい）、アントラピリミジンカルボン酸アミド、ビオラントロン、イソビオラントロン、ジオキサジン顔料、１分子当たり最大２個の塩素原子を含んでよい銅フタロシアニン、１分子当たり最大１４個の臭素原子を含むポリクロロ−銅フタロシアニン又はポリブロモクロロ−銅フタロシアニン、並びにこれらの混合物からなる群から選択される顔料が挙げられる。
【０１７６】
別の態様では、好適な顔料としては、ウルトラマリンブルー（Ｃ．Ｉ．ピグメントブルー２９）、ウルトラマリンバイオレット（Ｃ．Ｉ．ピグメントバイオレット１５）、及びこれらの混合物からなる群から選択される顔料が挙げられる。
【０１７７】
上記の布地色調剤は、組み合わせて用いることができる（布地色調剤のいずれの混合物も用いることができる）。
【０１７８】
他の洗濯補助剤
本明細書に記載の洗剤組成物は、他の従来の洗濯補助剤を含み得る。好適な洗濯補助剤には、ビルダー、キレート剤、移染防止剤、分散剤、酵素安定剤、触媒物質、漂白剤、漂白触媒、漂白活性化剤、ポリマー分散剤、粘土汚れ除去／再付着防止剤、例えばＰＥＩ６００  ＥＯ２０（例えばＢＡＳＦ）、ポリマー汚れ放出剤、ポリマー分散剤、ポリマーグリース洗浄剤、増白剤、泡抑制剤、染料、香料、構造伸縮性付与剤、布地柔軟剤、キャリア、充填剤、向水性物質、溶媒、抗菌剤及び／又は防腐剤、中和剤及び／又はｐＨ調整剤、加工助剤、乳白剤、パールエッセンス剤、顔料又はこれらの混合物が挙げられる。通常の使用量は、蛍光増白剤及び日焼け止め剤などの補助剤に関しては組成物の僅か０．００１重量％から、ビルダーに関しては組成物の５０重量％までの範囲である。好適な補助剤は、米国特許出願第１４／２２６，８７８号並びに米国特許第５，７０５，４６４号、同第５，７１０，１１５号、同第５，６９８，５０４号、同第５，６９５，６７９号、同第５，６８６，０１４号及び同第５，６４６，１０１号に記載されており、このそれぞれは参照により本明細書に組み込まれる。
【０１７９】
洗浄又は洗濯洗剤組成物の製造方法
本明細書にて上述したカチオン性ポリマー及び他の様々な成分を本開示の洗浄組成物又は洗濯洗剤組成物に組み込むことは、任意の好適な手法で行うことができ、一般に、あらゆる順序の混合又は添加を含み得る。
【０１８０】
例えば、カチオン性ポリマーは、製造者から入手したままで、最終組成物の他の構成成分のうちの２つ以上の、予め形成した混合物に直接導入してもよい。これは、処方プロセスの最終時点を含めた、最終組成物の調製プロセスの任意の時点で行うことができる。すなわち、カチオン性ポリマーを予め形成した液体洗濯洗剤に加えて、本開示の最終組成物を形成することができる。
【０１８１】
別の例では、カチオン性ポリマーは、乳化剤、分散剤、又は懸濁剤と事前に混合してエマルション、ラテックス、分散液、懸濁液などを形成してもよく、次いで、これを最終組成物の他の構成成分（例えば、シリコーン、洗浄性界面活性剤など）と混合することができる。これらの構成成分は、最終組成物の調製プロセスにて任意の順序及び任意の時点で添加することができる。いくつかの態様では、シリコーン（例えばシリコーンエマルション）は、カチオン性ポリマーが添加される前に、ベース洗剤に添加される。いくつかの態様では、カチオン性ポリマーは、シリコーンが添加される前に、ベース洗剤に添加される。
【０１８２】
第３の例は、カチオン性ポリマーを、最終組成物の１種類又は２種類以上の補助剤と混合し、このプレミックスを残りの補助剤の混合物に添加することに関連する。
【０１８３】
本開示に係る液体組成物は、従来の方法に従って、例えば、バッチプロセス又は連続ループプロセスにて製造することができる。乾燥（例えば、粉末又は顆粒）組成物は、従来の方法に従って、例えば、本明細書に記載の構成成分を含むスラリーを噴霧乾燥又は吹付乾燥することによって製造することができる。
【０１８４】
本明細書に記載の洗剤組成物は、パウチ、好ましくは水溶性フィルムからなるパウチ内に封入され、布地を処理するのに使用することができる単位用量物品を形成することができる。
【０１８５】
洗濯洗剤組成物の使用方法
本開示は、布地を処理する方法に関し、この方法は、布地を本明細書に記載の洗剤組成物に接触させる工程を含む。方法は、洗濯操作又は洗浄操作を実施する工程を更に含んでもよい。洗浄溶液を形成するために、接触工程の前、途中又は後に水を追加してもよい。
【０１８６】
本開示はまた、本開示に係る組成物を用いた、例えば機械による布地（好ましくは汚れた布地）の洗浄に関するプロセスに関し、本開示に係る洗剤組成物を洗濯する布地に接触させる工程と、洗濯操作又は洗浄操作を実施する工程と、を含む。
【０１８７】
任意の好適な洗濯機、例えば、トップローディング式又はフロントローディング式自動洗濯機を使用することができる。当業者であれば、適切な洗濯操作に好適な機械が認識できるであろう。本開示の物品は、他の構成成分、例えば、布地添加剤、布地柔軟剤、すすぎ補助剤などと組み合わせて使用してもよい。更に、本開示の洗剤組成物は、既知の手洗い法にも用いることができる。
【０１８８】
一部の態様では、本開示は、布地を処理する方法に関し、この方法は、布地を本明細書に記載の洗剤組成物に接触させる工程と、洗濯工程を実施する工程と、次いで、布地を布地柔軟化組成物に接触させる工程と、を含む。方法全般又は少なくとも洗濯工程は、手で実施してもよいし、機械補助でもよいし、自動洗濯機で行ってもよい。布地を布地柔軟化組成物と接触させる工程は、例えば自動洗濯機のすすぎサイクル中に、水の存在下で実施され得る。
【０１８９】
試験方法
以下の項では、本開示で使用する試験方法について記載する。
【０１９０】
重量平均分子量の決定
本発明のポリマー材料の重量平均分子量（Ｍｗ）は、示差屈折率検出器（ＲＩ）を備えたサイズ排除クロマトグラフィー（ＳＥＣ）により決定する。１つの好適な機器は、Ａｇｉｌｅｎｔ（登録商標）ＧＰＣ／ＳＥＣソフトウェア第１．２版を用いるＡｇｉｌｅｎｔ（登録商標）ＧＰＣ−ＭＤＳシステム（Ａｇｉｌｅｎｔ，Ｓａｎｔａ  Ｃｌａｒａ，ＵＳＡ）である。互いに一列に直接連結させた３つの親水性のヒドロキシル化ポリメチルメタクリレートゲルカラム（Ｗａｔｅｒｓ（Ｍｉｌｆｏｒｄ，ＵＳＡ）製のＵｌｔｒａｈｙｄｒｏｇｅｌ  ２０００−２５０−１２０）及び孔径０．２２μｍのＧＶＷＰメンブレンフィルター（ＭＩＬＬＩＰＯＲＥ，Ｍａｓｓａｃｈｕｓｅｔｔｓ，ＵＳＡ）を通して濾過したＤＩ水中の０．１Ｍ塩化ナトリウム及び０．３％トリフルオロ酢酸の溶液を用いて、ＳＥＣ分離を実施する。ＲＩ検出器は、ベースライン変動を回避するために、周囲温度を約５〜１０℃上回る一定温度に保つ必要がある。３５℃に設定する。ＳＥＣの注入量は、１００μＬである。流量は、０．８ｍＬ／分に設定する。試験ポリマー測定の計算及び校正は、Ｐｏｌｙｍｅｒ  Ｓｔａｎｄａｒｄ  Ｓｅｒｖｉｃｅ（ＰＳＳ，Ｍａｉｎｚ  Ｇｅｒｍａｎｙ）から得た、Ｍｐ＝１１１０ｇ／モル、Ｍｐ＝３１４０ｇ／モル、Ｍｐ＝４８１０ｇ／モル、Ｍｐ＝１１．５ｋｇ／モル、Ｍｐ＝２２ｋｇ／モル、Ｍｐ＝４２．８ｋｇ／モル、Ｍｐ＝１１８ｋｇ／モル、Ｍｐ＝２５６ｋｇ／モル、Ｍｐ＝４４６ｋｇ／モル、及びＭｐ＝１０６０ｋｇ／モルのピーク分子量を有する、１０個の分布の狭いポリ（２−ビニルピリジン）標準からなるセットに対して行う。
【０１９１】
ＤＩ水中の０．１Ｍ塩化ナトリウム及び０．３％トリフルオロ酢酸の上記溶液に濃縮ポリマー溶液を溶解することによって各試験用サンプルを調製し、１〜２ｍｇ／ｍＬのポリマー濃度を有する試験用サンプルを得る。サンプル溶液を１２時間静置して完全に溶解し、次いで十分攪拌し、５ｍＬのシリンジを用いて、孔径０．４５μｍのナイロンメンブレン（ＷＨＡＴＭＡＮ（ＵＫ）製）を通して、オートサンプラーバイアル中に濾過する。ポリマー標準のサンプルを同様の方法で調製する。各試験用ポリマーについて、２つのサンプル溶液を調製する。各溶液を１回測定する。２つの測定結果を平均して、試験用ポリマーのＭｗを算出する。
【０１９２】
各測定にて、ＤＩ水中の０．１Ｍ塩化ナトリウム及び０．３％トリフルオロ酢酸の溶液をバックグラウンドとして最初にカラムに注入する。系の再現性及び正確度を検証するために、他のサンプル測定の前に、校正用サンプル（Ｍｐ＝１１１．３ｋｇ／モルを有するポリエチレンオキシド１ｍｇ／ｍＬの溶液）を６回分析する。
【０１９３】
機器に付属のソフトウェアを用い、ナロー標準校正モデリングに適切なメニューオプションを選択して、試験用サンプルポリマーの重量平均分子量（Ｍｗ）を算出する。三次多項式曲線を用いて、ポリ（２−ビニルピリジン）標準から測定されたデータポイントに校正曲線をフィッティングする。重量平均分子量の計算に用いるデータ領域を、ＲＩ検出器によって検出された信号強度に基づいて選択する。対応するベースラインノイズのレベルよりも３倍を超えて大きいＲＩ信号のデータ領域を選択し、Ｍｗ計算に含める。他の全てのデータ領域を破棄し、Ｍｗ計算から排除する。校正領域から外れるこれらの領域については、校正曲線をＭｗ計算に外挿する。
【０１９４】
異なる分子量のポリマー混合物を含有する試験用サンプルの平均分子量を測定するために、選択したデータ領域を多数の均等間隔スライスに分ける。選択した領域から得た各スライスの高さ又はＹ値は、特定のポリマー（ｉ）の存在量（Ｎｉ）を表し、選択した領域から得た各スライスのＸ値は、特定のポリマー（ｉ）の分子量（Ｍｉ）を表す。試験用サンプルの重量平均分子量（Ｍｗ）を本明細書にて上述した等式、すなわち、Ｍｗ＝（Σｉ  Ｎｉ  Ｍｉ２）／（Σｉ  Ｎｉ  Ｍｉ）に基づいて算出する。
【０１９５】
布地ストリッピング
布地の処理及び試験（例えば、シリコーン付着、摩擦及び／又は白色度）の前に、通常、存在し得る製造者のあらゆる加工を布地から「ストリッピング」し、乾燥させ、次いで、洗剤組成物で処理する。
【０１９６】
ストリッピングは、Ｍｉｌｎｏｒモデル番号３００２２Ｘ８Ｊなどのフロントローディング式洗濯機で新しい布地を数回洗浄することによって達成し得る。ストリッピングに関して、各洗濯物は、２０〜２３キログラム（４５〜５０ポンド）の布地を含み、各洗浄サイクルは、炭酸カルシウム０ｍｇ／Ｌに相当する硬度を有する約９５リットル（２５ガロン）の水及び６０℃の水温度を用いる。合計１４２０リットル（３７５ガロン）の水を１５回投入及び排出するように洗濯機をプログラムする。１回目及び２回目の洗浄サイクルは、１７５ｇの増白剤を含まないＡＡＴＣＣ液体洗濯洗剤（２００３標準参照液体洗剤ＷＯＢ（蛍光増白剤なし）、例えばＴｅｓｔｆａｂｒｉｃｓ  Ｉｎｃ．、（Ｗｅｓｔ  Ｐｉｔｔｓｔｏｎ，Ｐｅｎｎｓｙｌｖａｎｉａ，ＵＳＡ）によるものなど）を含む。各洗浄サイクルに続いて２回のすすぎを行い、２回目の洗浄サイクルの後に３回の追加の洗浄サイクルを洗剤なし又は石鹸泡が認められなくなるまで行う。次いで、布地をタンブラー乾燥機で完全に乾燥するまで乾燥させ、布地処理／試験方法に用いる。
【０１９７】
シリコーン付着試験法
布地上へのシリコーン付着は、以下の試験方法に従って測定する。通常、シリコーン付着が多くなると、より柔らかな感触の布地になるという相関がある。シリコーン付着は、木綿１００％のテリータオル（例えば、Ｃａｌｄｅｒｏｎ（Ｉｎｄｉａｎａｐｏｌｉｓ，ＩＮ，ＵＳＡ））又はポリエステル／木綿５０％／５０％のジャージーニット（例えば、Ｔｅｓｔ  Ｆａｂｒｉｃｓ（Ｗｅｓｔ  Ｐｉｔｔｓｔｏｎ，ＰＡ，ＵＳＡ）、１４７ｇ／ｍ２）を、以下に記載する手順に従って準備し、本開示の洗剤組成物で処理して、特定する。
【０１９８】
布地の処理
ａ．北米トップローディング式洗濯機
トップローディング式Ｋｅｎｍｏｒｅ  ８０シリーズなどの洗濯機の洗浄サイクルに洗剤を投入することによって、ストリッピングした布地を本開示の組成物で処理する。各洗濯機は、木綿１００％のテリータオル（Ｃａｌｄｅｒｏｎ  Ｔｅｘｔｉｌｅｓ，ＬＬＣ（６１３１  Ｗ  ８０ｔｈ  Ｓｔ  Ｉｎｄｉａｎａｐｏｌｉｓ  ＩＮ  ４６２７８）から入手可能なＲＮ３７００２ＬＬである３０．５ｃｍ×３０．５ｃｍの約１２枚の布地）と、ポリエステル／木綿５０／５０のジャージーニット布地＃７４２２（Ｔｅｓｔ  Ｆａｂｒｉｃｓ（４１５  Ｄｅｌａｗａｒｅ  Ａｖｅ，Ｗｅｓｔ  Ｐｉｔｔｓｔｏｎ  ＰＡ  １８６４３）から入手可能な３０．５ｃｍ×３０．５ｃｍの約１０枚の布地見本）と、２枚の木綿１００％  Ｔシャツ（Ｇｉｌｄａｎ、Ｌサイズ）と、を含む２．５ｋｇの布地を含む。半投入量である６４リットル（１７ガロン）を用いて、３２℃（９０°Ｆ）洗浄及び１６℃（６０°Ｆ）すすぎに設定し、水１リットル当たり０．０９グラム（１ガロン当たり６グレーン）を用いて、Ｋｅｎｍｏｒｅ  ８０シリーズのヘビーデューティサイクルを用いて、洗浄することによって、ストリッピングした布地を本開示の組成物で処理する。サイクルの開始時に洗剤組成物（６４．５ｇ）を水に加え、布地を入れる。布地を、例えば、Ｋｅｎｍｏｒｅシリーズ乾燥機を木綿／高で５０分間に設定して用いて乾燥させる。布地を合計３サイクルの洗浄−乾燥サイクルで処理して、次いで、シリコーン付着について分析する。
【０１９９】
ｂ．北米フロントローディング式洗濯機
Ｗｈｉｒｌｐｏｏｌ  Ｄｕｅｔ  Ｍｏｄｅｌ  ９２００（Ｗｈｉｒｌｐｏｏｌ，Ｂｅｎｔｏｎ  Ｈａｒｂｏｒ，Ｍｉｃｈｉｇａｎ，ＵＳＡ）などのフロントローディング式洗濯機の洗浄サイクルに洗剤を投入することによって、ストリッピングした布地を本開示の組成物で処理する。各洗濯機は、５枚の３２ｃｍ×３２ｃｍの木綿１００％のテリー洗面用タオル（例えば、Ｃａｌｄｅｒｏｎ  Ｔｅｘｔｉｌｅｓ（Ｉｎｄｉａｎａｐｏｌｉｓ，Ｉｎｄｉａｎａ，ＵＳＡ）のＲＮ３７００２ＬＬなど）の他に、概算で９枚の成人男性用Ｌサイズ木綿１００％の極めて重いジャージーＴシャツ（Ｈａｎｅｓブランドなど）、９枚のポリエステル５０％／木綿５０％の枕カバー（例えば、Ｓｔａｎｄａｒｄ  Ｔｅｘｔｉｌｅ  Ｃｏ．、（Ｃｉｎｃｉｎｎａｔｉ，Ｏｈｉｏ，ＵＳＡ）の品目０３７１６１００番など）、及び９枚のポリエステル１４％／木綿８６％のテリーハンドタオル（例えば、Ｓｔａｎｄａｒｄ  Ｔｅｘｔｉｌｅ  Ｃｏ．、（Ｃｉｎｃｉｎｎａｔｉ，Ｏｈｉｏ，ＵＳＡ）の品目４０８２２３０１番など）からなる布地洗濯物を含む。バラスト布地の量は、テリー洗面用タオルを含む全布地洗濯物の乾燥重量が３．６〜３．９ｋｇになるように調整する。６６ｇの試験製品（又は対照洗剤）を洗濯機の投入引き出しに添加する。炭酸カルシウム当量１２０ｍｇ／Ｌを含む１８．９Ｌの水、洗浄温度３２℃及びすすぎ温度１６℃である通常サイクルを選択する。洗浄／すすぎサイクルの最後に、任意の標準米国式タンブラー乾燥機を用いて、布地洗濯物を完全に乾くまで乾燥させる。洗浄サイクルで用いたものと同じ水条件を用いて、水で洗濯機をすすいで洗浄する。布地洗濯物を用いて、洗浄、すすぎ、乾燥及び洗濯機洗浄の手順を合計３サイクル繰り返す。
【０２００】
ｃ．西欧フロントローディング式洗濯機
Ｍｉｅｌｅ  １７２４などのフロントローディング式洗濯機の洗浄サイクルに洗剤を投入することによって、ストリッピングした布地を本開示の組成物で処理する。各洗濯機は、木綿１００％のテリー洗面用タオル（例えば、Ｃａｌｄｅｒｏｎ  Ｔｅｘｔｉｌｅｓ（Ｉｎｄｉａｎａｐｏｌｉｓ，Ｉｎｄｉａｎａ，ＵＳＡ）のＲＮ３７００２ＬＬなどの３２ｃｍ×３２ｃｍである約１８枚の布地）と、ポリエステル／木綿５０／５０のジャージーニット布地＃７４２２（Ｔｅｓｔ  Ｆａｂｒｉｃｓ（４１５  Ｄｅｌａｗａｒｅ  Ａｖｅ，Ｗｅｓｔ  Ｐｉｔｔｓｔｏｎ  ＰＡ  １８６４３）から入手可能な３０．５ｃｍ×３０．５ｃｍの約７枚の布地見本）の他に、概算で７枚の成人男性用Ｌサイズ木綿１００％の極めて重いジャージーＴシャツ（Ｇｉｌｄａｎブランドなど）、及び２枚のポリエステル１４％／木綿８６％のテリーハンドタオル（例えば、Ｓｔａｎｄａｒｄ  Ｔｅｘｔｉｌｅ  Ｃｏ．、（Ｃｉｎｃｉｎｎａｔｉ，Ｏｈｉｏ，ＵＳＡ）の品目４０８２２３０１番など）の更なるバラストからなる布地洗濯物３ｋｇを含む。バラスト布地の量は、テリー洗面用タオルを含む全布地洗濯物の乾燥重量が３ｋｇになるように調整する。７３ｇの試験製品（又は対照洗剤）を洗濯機の投入引き出しに添加する。０．２１ｇ／Ｌ（１５ｇｐｇ）水を有する１２Ｌの水、洗浄温度３０℃及びすすぎ温度１５℃である木綿短サイクルを選択する。洗浄／すすぎサイクルの最後に、任意の標準米国式タンブラー乾燥機を用いて、布地洗濯物を完全に乾くまで乾燥させる。洗浄サイクルで用いたものと同じ水条件を用いて、水で洗濯機をすすいで洗浄する。布地洗濯物を用いて、洗浄、すすぎ、乾燥及び洗濯機洗浄の手順を合計３サイクル繰り返す。
【０２０１】
シリコーン付着分析
処理した布地（試験処理当たりの最小値ｎ＝３）を直径４ｃｍの円形に打ち抜き、各円形を２０ｍＬのシンチレーションバイアル瓶（例えば、ＶＷＲ＃６６０２１−５３３）に加え、布地重量を記録する。このバイアル瓶に１２ｍＬの５０％トルエン／５０％メチルイソブチルケトン溶媒混合液を加えて非極性シリコーン（例えば、ＰＤＭＳ）を抽出するか、あるいは９ｍＬの１５％エタノール／８５％メチルイソブチルケトン溶媒混合液を用いて極性シリコーン（例えば、アミノ官能化シリコーン）を抽出する。布地及び溶媒を含むバイアル瓶を再計量し、次いで、パルスボルテックスミキサー（ＤＶＸ−２５００，ＶＷＲ＃１４００５−８２６）上で３０分間攪拌する。
【０２０２】
抽出物中のシリコーンを、誘導結合プラズマ発光分光分析法（ＩＣＰ−ＯＥＳ，Ｐｅｒｋｉｎ  Ｅｌｍｅｒ  Ｏｐｔｉｍａ  ５３００ＤＶ）を用いて校正曲線と比較して定量化し、布地１グラム当たりのシリコーンをマイクログラム単位で記録する。校正曲線は、試験対象の製品と同一種類又は構造的に類似した種類のシリコーン原材料を用いて調製した既知のシリコーン濃度を有するＩＣＰ校正標準を用いて作成する。本方法の作動範囲は、布地１グラム当たり８〜２３００μｇのシリコーンである。消費者が認識するとみなされるには、通常、少なくとも８０マイクログラム／グラムのシリコーン付着が求められる。
【実施例】
【０２０３】
以下に示す非限定的な実施例は、本開示に係る組成物の例示である。
【０２０４】
実施例１Ａ〜１Ｇ：液体洗剤布地ケア組成物。
液体洗剤布地ケア組成物を、表１に示す成分を指定の割合で混合することによって調製する。実施例１Ｇは、比較処方である。
【０２０５】
【表１】
2019049000.tif 000026
【０２０６】
実施例２Ａ〜Ｆ：液体洗剤又はゲル洗剤。
液体又はゲル洗剤布地ケア組成物を、表２に示す成分を指定の割合で混合することによって調製する。
【０２０７】
【表２】
2019049000.tif 000027
【０２０８】
実施例３Ａ−Ｅ：単位用量洗剤
単一又は複数区画の可溶性単位用量の形態であってもよい液体洗剤又はゲル洗剤（例えば、ＭｏｎｏＳｏｌ，ＬＬＣ（Ｍｅｒｒｉｌｌｖｉｌｌｅ，Ｉｎｄｉａｎａ，ＵＳＡ）から入手可能なＭ８６３０などのポリビニルアルコールフィルム又は米国特許出願第２０１１／０１８８７８４（Ａ１）号に開示されているようなものによるフィルムに囲まれた液体洗剤）を、表３に示す成分を指定の割合で混合することによって調製する。
【０２０９】
【表３】
2019049000.tif 000028
【０２１０】
表１、２及び３に関する成分符号
１Ｓｈｅｌｌ  Ｃｈｅｍｉｃａｌｓ（Ｈｏｕｓｔｏｎ，ＴＸ）から入手可能。
２Ｈｕｎｔｓｍａｎ  Ｃｈｅｍｉｃａｌｓ（Ｓａｌｔ  Ｌａｋｅ  Ｃｉｔｙ，ＵＴ）から入手可能。
３Ｓａｓｏｌ  Ｃｈｅｍｉｃａｌｓ（Ｊｏｈａｎｎｅｓｂｕｒｇ，Ｓｏｕｔｈ  Ａｆｒｉｃａ）から入手可能。
４Ｔｈｅ  Ｐｒｏｃｔｅｒ  ＆  Ｇａｍｂｌｅ  Ｃｏｍｐａｎｙ（Ｃｉｎｃｉｎｎａｔｉ，ＯＨ）から入手可能。
５Ｓｉｇｍａ  Ａｌｄｒｉｃｈ  ｃｈｅｍｉｃａｌｓ（Ｍｉｌｗａｕｋｅｅ，ＷＩ）から入手可能。
６ＤｕＰｏｎｔ−Ｇｅｎｅｎｃｏｒ（Ｐａｌｏ  Ａｌｔｏ，ＣＡ）から入手可能。
７Ｎｏｖｏｚｙｍｅｓ（Ｃｏｐｅｎｈａｇｅｎ，Ｄｅｎｍａｒｋ）から入手可能。
８Ｃｉｂａ  Ｓｐｅｃｉａｌｔｙ  Ｃｈｅｍｉｃａｌｓ（Ｈｉｇｈ  Ｐｏｉｎｔ，ＮＣ）から入手可能。
９Ｍｉｌｌｉｋｅｎ  Ｃｈｅｍｉｃａｌ（Ｓｐａｒｔａｎｂｕｒｇ，ＳＣ）から入手可能。
１０ＢＡＳＦ（Ｌｕｄｗｉｇｓｈａｆｅｎ，Ｇｅｒｍａｎｙ）から入手した、−ＮＨ当たり２０のエトキシレート基を有する分子量６００ｇ／モルのポリエチレンイミンコア。
１１−ＮＨ当たり２４のエトキシレート基と、−ＮＨ当たり１６のプロポキシレート基とを有する、分子量６００ｇ／モルのポリエチレンイミンコア。ＢＡＳＦ（Ｌｕｄｗｉｇｓｈａｆｅｎ，Ｇｅｒｍａｎｙ）より入手。
１２国際公開第０１／０５８７４号に記載。ＢＡＳＦ（Ｌｕｄｗｉｇｓｈａｆｅｎ，Ｇｅｒｍａｎｙ）より入手。
１３商標名ＴｈｉｘｉｎＲとしてＥｌｅｍｅｎｔｉｓ  Ｓｐｅｃｉａｌｔｉｅｓ（Ｈｉｇｈｓｔｏｗｎ，ＮＪ）から入手可能。
１４Ｎａｌｃｏ  Ｃｈｅｍｉｃａｌｓ（Ｎａｐｅｒｖｉｌｌｅ，ＩＬ）から入手した、重量平均分子量１５００ｋＤａを有する、アクリルアミド８８％及びメタクリルアミドプロピルトリメチルアンモニウムクロリド１２％のモル比のコポリマー。
１５Ｎａｌｃｏ  Ｃｈｅｍｉｃａｌｓ（Ｎａｐｅｒｖｉｌｌｅ，ＩＬ）から入手した、供給元により報告されている重量平均分子量１８００ｋＤａを有する、アクリルアミド９０％、メタクリルアミドプロピルトリメチルアンモニウムクロリド５％及びアクリル酸５％のモル比のターポリマー。
１６Ａｐｐｌｅｔｏｎ  Ｐａｐｅｒ（Ａｐｐｌｅｔｏｎ，ＷＩ）から入手可能。
１７Ｍｏｍｅｎｔｉｖｅ  Ｐｅｒｆｏｒｍａｎｃｅ  Ｍａｔｅｒｉａｌｓ（Ｗａｔｅｒｆｏｒｄ，Ｎｅｗ  Ｙｏｒｋ）から入手可能なＭａｇｎａｓｏｆｔ  Ｐｌｕｓ。
１８Ｄｏｗ−Ｃｏｒｎｉｎｇ（Ｍｉｄｌａｎｄ，ＭＩ）のシリコーンポリエーテル。
１９Ｄｏｗ−Ｃｏｒｎｉｎｇ（Ｍｉｄｌａｎｄ，ＭＩ）から入手可能なＰＤＭＳ、ＤＣ３４９。
２０Ｇｅｌｅｓｔ（Ｍｏｒｒｉｓｖｉｌｌｅ，ＰＡ）から入手可能なＰＤＭＳ、１０００ｍｍ２／ｓ（１０００ｃＳｔ）。
【０２１１】
実施例４．シリコーン付着及び界面活性剤比率の選択
実施例４Ａ〜４Ｃは、上述のシリコーン付着試験方法に従った北米トップローディング式自動洗濯機でのマルチサイクル試験における種々の布地へのシリコーン付着に対する、アニオン性：非イオン性界面活性剤の比率の選択効果を示すものである。以下の表４に示す処方１Ｇ、１Ｅ及び１Ｆに従った洗剤で布地をそれぞれ処理した。
【０２１２】
【表４】
2019049000.tif 000029
【０２１３】
本明細書に開示されている寸法及び値は、記載された正確な数値に厳密に限定されるものと理解すべきではない。むしろ、特に断らない限り、そのような各寸法は、記載された値及びその値の周辺の機能的に同等の範囲の両方を意味するものとする。例えば、「４０ｍｍ」として開示されている寸法は、「約４０ｍｍ」を意味することを意図している。
【０２１４】
相互参照されるか又は関連する全ての特許又は特許出願、及び本願が優先権又はその利益を主張する任意の特許出願又は特許を含む、本明細書に引用される全ての文書は、明示的に除外されるか、又は別途制限されない限り、参照によりその全体が本明細書に組み込まれる。いずれの文献の引用も、その文献が本願で開示又は特許請求されるいずれかの発明に対する先行技術であることを認めるものではなく、又はその文献が単独で、あるいは任意のその他の参照文献との任意の組み合わせにおいて、かかる発明のいずれかを参照、教示、示唆又は開示することを認めるものでもない。更には、本文書における用語のいずれかの意味又は定義が、組み込まれた文献における同一の用語のいずれかの意味又は定義と相反する限りにおいては、本文書においてその用語に与えられた意味又は定義が優先するものとする。
【０２１５】
以上、本発明の特定の実施形態を図示、説明したが、本発明の趣旨及び範囲から逸脱することなく他の様々な変更及び改変を実施することが可能である点は当業者には自明であろう。したがって、本発明の範囲内に含まれるそのような全ての変更及び修正が、添付の特許請求の範囲内に網羅されることが意図される。
【手続補正書】
【提出日】平成30年11月28日(2018.11.28)
【手続補正１】
【補正対象書類名】特許請求の範囲
【補正対象項目名】全文
【補正方法】変更
【補正の内容】
【特許請求の範囲】
【請求項１】
カチオン性ポリマーと、シリコーンと、界面活性剤系と、を含む洗濯洗剤組成物であって、
前記カチオン性ポリマーは、算出カチオン電荷密度が１ｍｅｑ／ｇ以上であることを特徴とし、
前記カチオン性ポリマーは、分子量が８００ｋダルトン〜２，０００ｋダルトンであることを更に特徴とし、
前記カチオン性ポリマーが、アクリルアミド／ＭＡＰＴＡＣであり、
前記カチオン性ポリマーが、シリコーン由来構造単位を実質的に含まず、
前記界面活性剤系は、アニオン性界面活性剤と、非イオン性界面活性剤と、を、１．５：１〜２．５：１の重量比で含み、
前記アニオン性界面活性剤が、直鎖アルキルベンゼンサルフェート（ＬＡＳ）及びアルキルエーテルサルフェート（ＡＥＳ）を含み、
前記ＬＡＳ及び前記ＡＥＳは、０．５：１〜２：１の重量比で存在し、
前記非イオン性界面活性剤は、１種以上のエトキシル化アルコールを含み、
マイクロカプセル、酵素、汚れ放出ポリマー、色調剤及びこれらの組み合わせから選択される補助剤を更に含む、洗濯洗剤組成物。
【請求項２】
前記カチオン性ポリマーは、算出カチオン電荷密度が１．２ｍｅｑ／ｇ〜８ｍｅｑ／ｇである、請求項１に記載の洗濯洗剤組成物。
【請求項３】
前記カチオン性ポリマーは、算出カチオン電荷密度が１．５ｍｅｑ／ｇ〜５ｍｅｑ／ｇである、請求項１または２に記載の洗濯洗剤組成物。
【請求項４】
前記カチオン性ポリマーが、５モル％〜９８モル％の非イオン性構造単位を含む、請求項１〜３のいずれか一項に記載の洗濯洗剤組成物。
【請求項５】
前記カチオン性ポリマーが、１０モル％〜９５モル％の非イオン性構造単位を含む、請求項１〜４のいずれか一項に記載の洗濯洗剤組成物。
【請求項６】
前記カチオン性ポリマーが、２モル％〜１００モル％のカチオン性構造単位を含む、請求項１〜５のいずれか一項に記載の洗濯洗剤組成物。
【請求項７】
前記カチオン性ポリマーが、５モル％〜９５モル％のカチオン性構造単位を含む、請求項１〜６のいずれか一項に記載の洗濯洗剤組成物。
【請求項８】
前記シリコーンが、アミノシリコーンである、請求項１〜７のいずれか一項に記載の洗濯洗剤組成物。
【請求項９】
前記シリコーンが、ポリジメチルシロキサンである、請求項１〜８のいずれか一項に記載の洗濯洗剤組成物。
【請求項１０】
前記シリコーンが、ナノエマルションとして存在し、前記ナノエマルションは、平均粒径が１０ｎｍ〜５００ｎｍであることを特徴とする、請求項１〜９のいずれか一項に記載の洗濯洗剤組成物。
【請求項１１】
前記組成物の重量に対して、０．１％〜６％の脂肪酸及び／又はその塩を更に含む、請求項１〜１０のいずれか一項に記載の洗濯洗剤組成物。
【請求項１２】
非高分子系結晶質ヒドロキシ官能性構造化剤、高分子構造化剤又はこれらの混合物を含む外部構造化系をさらに含む、請求項１〜１１のいずれか一項に記載の洗濯洗剤組成物。
【請求項１３】
前記洗剤組成物は、液体である、請求項１〜１２のいずれか一項に記載の洗剤組成物。
【請求項１４】
前記洗剤組成物は、パウチに封入され、前記パウチは、水溶性フィルムを含む、請求項１〜１３のいずれか一項に記載の洗濯洗剤組成物。
【請求項１５】
布地を処理する方法であって、前記布地を請求項１〜１４のいずれか一項に記載の洗濯洗剤組成物に接触させる工程を含む、方法。
【外国語明細書】
2019049000000001.pdf